(57)【要約】本開示の様々な態様は、一般にワイヤレス通信に関する。いくつかの態様では、ワイヤレス通信デバイスは、物理ダウンリンク共有チャネル（ＰＤＳＣＨ）のためのリソース割り振りの最後のリソースブロックが最後の割り振り可能なリソースブロックグループ（ＲＢＧ）中にあることを識別することと、ＰＤＳＣＨに関連付けられた基準信号タイプ、１つ又は複数の追加のリソースブロックの量、又はＰＤＳＣＨに関連付けられたＤＣＩフォーマットのうちの少なくとも１つに少なくとも部分的に基づいて、最後のリソースブロックに後続する１つ又は複数の追加のリソースブロックがＰＤＳＣＨのためのリソース割り振りに含まれるかどうかを決定することとを行い得る。数多くの他の態様が提供される。【選択図】図７
2021514149.tif 000002
【特許請求の範囲】
【請求項１】
ワイヤレス通信デバイスによって実行されるワイヤレス通信の方法であって、
物理ダウンリンク共有チャネル（ＰＤＳＣＨ）のためのリソース割り振りの最後のリソースブロックが最後の割り振り可能なリソースブロックグループ（ＲＢＧ）中にあることを識別することと、
前記ＰＤＳＣＨに関連付けられた基準信号タイプ、１つ又は複数の追加のリソースブロックの量、又は前記リソース割り振りのダウンリンク制御情報（ＤＣＩ）フォーマットのうちの少なくとも１つに少なくとも部分的に基づいて、前記最後のリソースブロックに後続する前記１つ又は複数の追加のリソースブロックが前記ＰＤＳＣＨのための前記リソース割り振りに含まれるかどうかを決定することと
を備える、方法。
【請求項２】
前記ワイヤレス通信デバイスは、前記最後のリソースブロックに後続する前記１つ又は複数の追加のリソースブロックが前記ＰＤＳＣＨのための前記リソース割り振りに含まれるかどうかを決定するとき、前記１つ又は複数の追加のリソースブロックの前記量が前記リソース割り振りの帯域幅に対応するＲＢＧのサイズ未満であるかどうかを決定するように構成される、請求項１に記載の方法。
【請求項３】
前記ワイヤレス通信デバイスは、前記最後のリソースブロックに後続する前記１つ又は複数の追加のリソースブロックが前記ＰＤＳＣＨのための前記リソース割り振りに含まれるかどうかを決定するとき、前記１つ又は複数の追加のリソースブロックの前記量がプリコーディングリソースブロックグループ（ＰＲＧ）サイズによって割り切れるか、又は前記ＰＲＧサイズより大きいかを決定するように構成される、請求項１に記載の方法。
【請求項４】
前記ＰＤＳＣＨに関連付けられた前記基準信号タイプが、セル固有基準信号（ＣＲＳ）タイプであるとき、前記ワイヤレス通信デバイスは、前記１つ又は複数の追加のリソースブロックが前記リソース割り振りに含まれると決定するように構成される、請求項１に記載の方法。
【請求項５】
前記ＰＤＳＣＨに関連付けられた前記基準信号タイプが復調基準信号（ＤＭＲＳ）タイプであるとき、前記ワイヤレス通信デバイスは、前記最後のリソースブロックのインデックスと、前記ワイヤレス通信デバイスの通信システムに関連付けられた帯域幅とがリソース割り振りに利用可能な少なくとも２つの追加のリソースブロックがあることを示すときに、前記１つ又は複数の追加のリソースブロックのうちの少なくとも２つが前記リソース割り振りに含まれると決定するように構成される、請求項１に記載の方法。
【請求項６】
前記最後の割り振り可能なＲＢＧの前記最後のリソースブロックのインデックスは、前記リソース割り振りに関連付けられたリソースブロックグループ（ＲＢＧ）サイズと前記リソース割り振りの開始点とに少なくとも部分的に基づき、
前記ＲＢＧサイズ及び前記リソース割り振りの前記開始点は、前記ワイヤレス通信デバイスの通信システムに関連付けられた帯域幅に少なくとも部分的に基づく、
請求項１に記載の方法。
【請求項７】
前記ワイヤレス通信デバイスに関連付けられた通信システムの帯域幅が５ＭＨｚであるか、又はリソースブロックの数で表されたダウンリンク帯域幅構成が２０〜２６の範囲のインデックス値を有し、且つ前記ＰＤＳＣＨが前記帯域幅のインデックス２３におけるリソースブロックにマッピングされることを前記リソース割り振りが示すとき、前記ワイヤレス通信デバイスは、前記基準信号タイプがセル固有基準信号（ＣＲＳ）タイプであるときに、前記帯域幅のインデックス２４におけるリソースブロックが前記リソース割り振りに含まれると決定するように構成される、請求項１に記載の方法。
【請求項８】
前記ワイヤレス通信デバイスに関連付けられた通信システムの帯域幅が５ＭＨｚであるか、又はリソースブロックの数で表されたダウンリンク帯域幅構成が２０〜２６の範囲のインデックス値を有し、且つ前記ＰＤＳＣＨが前記帯域幅のインデックス２３におけるリソースブロックにマッピングされることを前記リソース割り振りが示すとき、前記ワイヤレス通信デバイスは、前記基準信号タイプがセル固有基準信号（ＣＲＳ）タイプでないときに、前記帯域幅のインデックス２４におけるリソースブロックが前記リソース割り振りに含まれないと決定するように構成される、請求項１に記載の方法。
【請求項９】
前記ワイヤレス通信デバイスに関連付けられた通信システムの帯域幅が５ＭＨｚであるか、又はリソースブロックの数で表されたダウンリンク帯域幅構成が２０〜２６の範囲のインデックス値を有し、且つ前記ＰＤＳＣＨが前記帯域幅のインデックス２１におけるリソースブロックにマッピングされることを前記リソース割り振りが示すとき、前記ワイヤレス通信デバイスは、前記基準信号タイプがセル固有基準信号（ＣＲＳ）タイプであるときに、前記帯域幅のインデックス２２、インデックス２３、及びインデックス２４におけるリソースブロックが前記リソース割り振りに含まれると決定するように構成される、請求項１に記載の方法。
【請求項１０】
前記ワイヤレス通信デバイスに関連付けられた通信システムの帯域幅が５ＭＨｚであるか、又はリソースブロックの数で表されたダウンリンク帯域幅構成が２０〜２６の範囲のインデックス値を有し、且つ前記ＰＤＳＣＨが前記帯域幅のインデックス２１におけるリソースブロックにマッピングされることを前記リソース割り振りが示すとき、前記ワイヤレス通信デバイスは、前記基準信号タイプが復調基準信号（ＤＭＲＳ）タイプであるときに、前記帯域幅のインデックス２２及びインデックス２３におけるリソースブロックが前記リソース割り振りに含まれると決定するように構成される、請求項１に記載の方法。
【請求項１１】
前記ワイヤレス通信デバイスに関連付けられた通信システムの帯域幅が１０ＭＨｚであるか、又はリソースブロックの数で表されたダウンリンク帯域幅構成が２７〜６３の範囲のインデックス値を有し、且つ前記ＰＤＳＣＨが前記帯域幅のインデックス４７におけるリソースブロックにマッピングされることを前記リソース割り振りが示すとき、前記ワイヤレス通信デバイスは、前記基準信号タイプがセル固有基準信号（ＣＲＳ）タイプ又は復調基準信号（ＤＭＲＳ）タイプであるときに、前記帯域幅のインデックス４８及びインデックス４９におけるリソースブロックが前記リソース割り振りに含まれると決定するように構成される、請求項１に記載の方法。
【請求項１２】
前記ワイヤレス通信デバイスに関連付けられた通信システムの帯域幅が１５ＭＨｚであるか、又はリソースブロックの数で表されたダウンリンク帯域幅構成が６４〜７５の範囲のインデックス値を有し、且つ前記ＰＤＳＣＨが前記帯域幅のインデックス７１におけるリソースブロックにマッピングされることを前記リソース割り振りが示すとき、前記ワイヤレス通信デバイスは、前記基準信号タイプがセル固有基準信号（ＣＲＳ）タイプであるときに、前記帯域幅のインデックス７２、インデックス７３、及びインデックス７４におけるリソースブロックが前記リソース割り振りに含まれると決定するように構成される、請求項１に記載の方法。
【請求項１３】
前記ワイヤレス通信デバイスに関連付けられた通信システムの帯域幅が１５ＭＨｚであるか、又はリソースブロックの数で表されたダウンリンク帯域幅構成が６４〜７５の範囲のインデックス値を有し、且つ前記ＰＤＳＣＨが前記帯域幅のインデックス７１におけるリソースブロックにマッピングされることを前記リソース割り振りが示すとき、前記ワイヤレス通信デバイスは、前記基準信号タイプが復調基準信号（ＤＭＲＳ）タイプであるときに、前記帯域幅のインデックス７２及びインデックス７３におけるリソースブロックが前記リソース割り振りに含まれると決定するように構成される、請求項１に記載の方法。
【請求項１４】
前記ワイヤレス通信デバイスは、ユーザ機器を備える、請求項１に記載の方法。
【請求項１５】
前記ワイヤレス通信デバイスは、基地局（ＢＳ）を備える、請求項１に記載の方法。
【請求項１６】
前記１つ又は複数の追加のリソースブロックは、前記リソース割り振りの前記最後のＲＢＧ中に含まれる、請求項１に記載の方法。
【請求項１７】
前記ＰＤＳＣＨに関連付けられた前記基準信号タイプ、前記１つ又は複数の追加のリソースブロックの前記量、又は前記リソース割り振りの前記ＤＣＩフォーマットのうちの少なくとも１つに少なくとも部分的に基づいて、前記最後のリソースブロックに後続する前記１つ又は複数の追加のリソースブロックが前記ＰＤＳＣＨのための前記リソース割り振りに含まれるかどうかを決定することは、前記１つ又は複数の追加のリソースブロックの前記量がリソースブロックの数で表されたプリコーディングリソースブロックグループのサイズの整数倍であると決定することを含む、請求項１に記載の方法。
【請求項１８】
前記ワイヤレス通信デバイスは、前記１つ又は複数の追加のリソースブロックが前記ＰＤＳＣＨのための前記リソース割り振りに含まれると決定するように構成される、請求項１７に記載の方法。
【請求項１９】
前記ＰＤＳＣＨに関連付けられた前記基準信号タイプ、前記１つ又は複数の追加のリソースブロックの前記量、又は前記リソース割り振りの前記ＤＣＩフォーマットのうちの少なくとも１つに少なくとも部分的に基づいて、前記最後のリソースブロックに後続する前記１つ又は複数の追加のリソースブロックが前記ＰＤＳＣＨのための前記リソース割り振りに含まれるかどうかを決定することは、前記１つ又は複数の追加のリソースブロックの前記量がリソースブロックの数で表されたプリコーディングリソースブロックグループ（ＰＲＧ）のサイズの非整数倍であり、前記ＰＲＧサイズより大きいと決定することを含む、請求項１に記載の方法。
【請求項２０】
前記ＰＤＳＣＨに関連付けられた前記基準信号タイプ、前記１つ又は複数の追加のリソースブロックの前記量、又は前記リソース割り振りの前記ＤＣＩフォーマットのうちの少なくとも１つに少なくとも部分的に基づいて、前記最後のリソースブロックに後続する前記１つ又は複数の追加のリソースブロックが前記ＰＤＳＣＨのための前記リソース割り振りに含まれるかどうかを決定することは、前記基準信号タイプがセル固有基準信号（ＣＲＳ）タイプであると決定することを更に含み、
前記方法は、前記１つ又は複数の追加のリソースブロックが前記ＰＤＳＣＨのための前記リソース割り振りに含まれると決定することを更に備える、請求項１９に記載の方法。
【請求項２１】
前記ＰＤＳＣＨに関連付けられた前記基準信号タイプ、前記１つ又は複数の追加のリソースブロックの前記量、又は前記リソース割り振りの前記ＤＣＩフォーマットのうちの少なくとも１つに少なくとも部分的に基づいて、前記最後のリソースブロックに後続する前記１つ又は複数の追加のリソースブロックが前記ＰＤＳＣＨのための前記リソース割り振りに含まれるかどうかを決定することは、前記基準信号タイプが復調基準信号（ＤＭＲＳ）タイプであると決定することを更に含み、
前記方法は、前記１つ又は複数の追加のリソースブロックのうちの、リソースブロックで表された前記ＰＲＧの前記サイズ未満の最後の数のリソースブロックを除く全てが前記ＰＤＳＣＨのための前記リソース割り振りに含まれると決定することを更に備える、請求項１９に記載の方法。
【請求項２２】
前記ＰＤＳＣＨに関連付けられた前記基準信号タイプ、前記１つ又は複数の追加のリソースブロックの前記量、又は前記リソース割り振りの前記ＤＣＩフォーマットのうちの少なくとも１つに少なくとも部分的に基づいて、前記最後のリソースブロックに後続する前記１つ又は複数の追加のリソースブロックが前記ＰＤＳＣＨのための前記リソース割り振りに含まれるかどうかを決定することは、前記１つ又は複数の追加のリソースブロックの前記量がリソースブロックの数で表されたプリコーディングリソースブロックグループ（ＰＲＧ）のサイズの非整数倍であり、前記ＰＲＧサイズ未満であると決定することを含む、請求項１に記載の方法。
【請求項２３】
前記ＰＤＳＣＨに関連付けられた前記基準信号タイプ、前記１つ又は複数の追加のリソースブロックの前記量、又は前記リソース割り振りの前記ＤＣＩフォーマットのうちの少なくとも１つに少なくとも部分的に基づいて、前記最後のリソースブロックに後続する前記１つ又は複数の追加のリソースブロックが前記ＰＤＳＣＨのための前記リソース割り振りに含まれるかどうかを決定することは、前記基準信号タイプがセル固有基準信号（ＣＲＳ）タイプであると決定することを更に含み、
前記方法は、前記１つ又は複数の追加のリソースブロックが前記ＰＤＳＣＨのための前記リソース割り振りに含まれると決定することを更に備える、請求項２２に記載の方法。
【請求項２４】
前記ＰＤＳＣＨに関連付けられた前記基準信号タイプ、前記１つ又は複数の追加のリソースブロックの前記量、又は前記リソース割り振りの前記ＤＣＩフォーマットのうちの少なくとも１つに少なくとも部分的に基づいて、前記最後のリソースブロックに後続する前記１つ又は複数の追加のリソースブロックが前記ＰＤＳＣＨのための前記リソース割り振りに含まれるかどうかを決定することは、前記基準信号タイプが復調基準信号（ＤＭＲＳ）タイプであると決定することを含み、
前記方法は、前記１つ又は複数の追加のリソースブロックが前記ＰＤＳＣＨのための前記リソース割り振りに含まれないと決定することを更に備える、請求項２２に記載の方法。
【請求項２５】
前記ＰＤＳＣＨに関連付けられた前記基準信号タイプ、前記１つ又は複数の追加のリソースブロックの前記量、又は前記リソース割り振りの前記ＤＣＩフォーマットのうちの少なくとも１つに少なくとも部分的に基づいて、前記最後のリソースブロックに後続する前記１つ又は複数の追加のリソースブロックが前記ＰＤＳＣＨのための前記リソース割り振りに含まれるかどうかを決定することは、前記リソース割り振りを通信するために用いられたダウンリンク制御情報フォーマットに少なくとも部分的に基づいて、前記ＰＤＳＣＨに関連付けられた前記基準信号タイプを決定することを含む、請求項１に記載の方法。
【請求項２６】
復調基準信号（ＤＭＲＳ）の基準信号タイプについて、前記最後のリソースブロックに後続する１つ又は複数の追加のリソースブロックが前記リソース割り振りに含まれるかどうかを決定することは、前記ワイヤレス通信デバイスのシステム帯域幅と前記リソース割り振りのプリコーディングリソースブロックグループ（ＰＲＧ）サイズとに少なくとも部分的に基づく、請求項１に記載の方法。
【請求項２７】
ワイヤレス通信のためのワイヤレス通信デバイスであって、
メモリと、
前記メモリと動作可能に結合された１つ又は複数のプロセッサと
を備え、前記メモリ及び前記１つ又は複数のプロセッサは、
物理ダウンリンク共有チャネル（ＰＤＳＣＨ）のためのリソース割り振りの最後のリソースブロックが最後の割り振り可能なリソースブロックグループ（ＲＢＧ）中にあることを識別することと、
前記ＰＤＳＣＨに関連付けられた基準信号タイプ、１つ又は複数の追加のリソースブロックの量、又は前記リソース割り振りのダウンリンク制御情報（ＤＣＩ）フォーマットのうちの少なくとも１つに少なくとも部分的に基づいて、前記最後のリソースブロックに後続する前記１つ又は複数の追加のリソースブロックが前記ＰＤＳＣＨのための前記リソース割り振りに含まれるかどうかを決定することと
を行うように構成される、ワイヤレス通信デバイス。
【請求項２８】
前記１つ又は複数のプロセッサは、前記ＰＤＳＣＨに関連付けられた前記基準信号タイプ、前記１つ又は複数の追加のリソースブロックの前記量、又は前記リソース割り振りの前記ＤＣＩフォーマットのうちの少なくとも１つに少なくとも部分的に基づいて、前記最後のリソースブロックに後続する前記１つ又は複数の追加のリソースブロックが前記ＰＤＳＣＨのための前記リソース割り振りに含まれるかどうかを決定するとき、
前記１つ又は複数の追加のリソースブロックの前記量が前記リソース割り振りの帯域幅に対応するＲＢＧのサイズ未満であるかどうかを決定することを行うように構成される、請求項２７に記載のワイヤレス通信デバイス。
【請求項２９】
ワイヤレス通信のための１つ又は複数の命令を記憶する非一時的コンピュータ可読媒体であって、前記１つ又は複数の命令は、
ワイヤレス通信デバイスの１つ又は複数のプロセッサによって実行されると、前記１つ又は複数のプロセッサに、
物理ダウンリンク共有チャネル（ＰＤＳＣＨ）のためのリソース割り振りの最後のリソースブロックが最後の割り振り可能なリソースブロックグループ（ＲＢＧ）中にあることを識別することと、
前記ＰＤＳＣＨに関連付けられた基準信号タイプ、１つ又は複数の追加のリソースブロックの量、又は前記リソース割り振りのダウンリンク制御情報（ＤＣＩ）フォーマットのうちの少なくとも１つに少なくとも部分的に基づいて、前記最後のリソースブロックに後続する前記１つ又は複数の追加のリソースブロックが前記ＰＤＳＣＨのための前記リソース割り振りに含まれるかどうかを決定することと
を行わせる１つ又は複数の命令を備える、非一時的コンピュータ可読媒体。
【請求項３０】
ワイヤレス通信のための装置であって、
物理ダウンリンク共有チャネル（ＰＤＳＣＨ）のためのリソース割り振りの最後のリソースブロックが最後の割り振り可能なリソースブロックグループ（ＲＢＧ）中にあることを識別するための手段と、
前記ＰＤＳＣＨに関連付けられた基準信号タイプ、１つ又は複数の追加のリソースブロックの量、又は前記リソース割り振りのダウンリンク制御情報（ＤＣＩ）フォーマットのうちの少なくとも１つに少なくとも部分的に基づいて、前記最後のリソースブロックに後続する前記１つ又は複数の追加のリソースブロックが前記ＰＤＳＣＨのための前記リソース割り振りに含まれるかどうかを決定するための手段と
を備える、装置。
【発明の詳細な説明】
【関連出願の相互参照】
【０００１】
[0001]本願は、２０１８年２月１６日に出願され、「TECHNIQUES AND APPARATUSES FOR A RESOURCE ALLOCATION FOR A SHORT TRANSMISSION TIME INTERVAL (STTI) SYSTEM」と題された米国仮特許出願第６２／７１０，３０８号、及び２０１９年２月１４日に出願され、「RESOURCE ALLOCATION FOR A SHORT TRANSMISSION TIME INTERVAL (STTI) SYSTEM」と題された米国非仮特許出願第１６／２７６，２５８号の優先権を主張し、それらは、本明細書での参照によって本明細書に明確に組み込まれる。
【技術分野】
【０００２】
[0002]本開示の態様は、一般にワイヤレス通信に関し、より詳細には短送信時間間隔（ｓＴＴＩ：short transmission time interval）システムのためのリソース割り振りのための技法及び装置に関する。
【背景技術】
【０００３】
[0003]ワイヤレス通信システムは、電話通信、ビデオ、データ、メッセージング、及びブロードキャストなどの様々な電気通信サービスを提供するために広く展開されている。典型的なワイヤレス通信システムは、利用可能なシステムリソース（例えば、帯域幅、送信電力、及び／又は同様のもの）を共有することによって複数のユーザとの通信をサポートすることが可能である多元接続技術を用い得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、及びロングタームエボリューション（ＬＴＥ（登録商標））を含む。ＬＴＥ／ＬＴＥアドバンストは、第３世代パートナーシッププロジェクト（３ＧＰＰ（登録商標））によって公表されたユニバーサルモバイル電気通信システム（ＵＭＴＳ）のモバイル規格に対する拡張セットである。
【０００４】
[0004]ワイヤレス通信ネットワークは、いくつかのユーザ機器（ＵＥ）のための通信をサポートすることができるいくつかの基地局（ＢＳ）を含み得る。ユーザ機器（ＵＥ）は、ダウンリンク及びアップリンクを介して基地局（ＢＳ）と通信し得る。ダウンリンク（即ち順方向リンク）は、ＢＳからＵＥへの通信リンクを指し、アップリンク（即ち逆方向リンク）は、ＵＥからＢＳへの通信リンクを指す。本明細書でより詳細に説明されることになるように、ＢＳは、ノードＢ、ｇＮＢ、アクセスポイント（ＡＰ）、無線ヘッド、送受信ポイント（ＴＲＰ）、ニューラジオ（ＮＲ：new radio）ＢＳ、５ＧノードＢ、及び／又は同様の名称で呼ばれ得る。
【０００５】
[0005]上記の多元接続技術は、異なるユーザ機器が、都市、国家、地域、更には地球規模で通信することを可能にする共通プロトコルを提供するために、様々な電気通信規格において採用されてきた。５Ｇとも呼ばれ得るニューラジオ（ＮＲ）は、第３世代パートナーシッププロジェクト（３ＧＰＰ）によって公表されたＬＴＥモバイル規格に対する拡張セットである。ＮＲは、スペクトル効率を改善し、コストを下げ、サービスを改善し、新しいスペクトルを利用し、ダウンリンク（ＤＬ）上でサイクリックプレフィックス（ＣＰ）を伴う直交周波数分割多重化（ＯＦＤＭ）（ＣＰ−ＯＦＤＭ）を使用して、アップリンク（ＵＬ）上でＣＰ−ＯＦＤＭ及び／又はＳＣ−ＦＤＭ（例えば、離散フーリエ変換拡散ＯＦＤＭ（ＤＦＴ−ｓ−ＯＦＤＭ）としても知られる）を使用して、他のオープン規格とより良好に統合することによって、モバイルブロードバンドインターネットアクセスをより良好にサポートし、並びにビームフォーミング、多入力多出力（ＭＩＭＯ）アンテナ技術、及びキャリアアグリゲーションをサポートするように設計される。しかしながら、モバイルブロードバンドアクセスに対する需要が増大し続けるにつれて、ＬＴＥ及びＮＲ技術における更なる改善の必要性が存在する。好ましくは、これらの改善は、他の多元接続技術及びこれらの技術を用いる電気通信規格に適用可能であるべきである。
【発明の概要】
【０００６】
[0006]いくつかの態様では、ワイヤレス通信デバイスによって実行されるワイヤレス通信の方法は、物理ダウンリンク共有チャネル（ＰＤＳＣＨ）のためのリソース割り振りの最後のリソースブロックが最後の割り振り可能なリソースブロックグループ（ＲＢＧ）中にあることを識別することと、ＰＤＳＣＨに関連付けられた基準信号タイプ、１つ又は複数の追加のリソースブロックの量、又はリソース割り振りのダウンリンク制御情報（ＤＣＩ）フォーマットのうちの少なくとも１つに少なくとも部分的に基づいて、最後のリソースブロックに後続する１つ又は複数の追加のリソースブロックがＰＤＳＣＨのためのリソース割り振りに含まれるかどうかを決定することとを含み得る。
【０００７】
[0007]いくつかの態様では、ワイヤレス通信のためのワイヤレス通信デバイスは、メモリと、メモリに動作可能に結合された１つ又は複数のプロセッサとを含み得る。メモリ及び１つ又は複数のプロセッサは、ＰＤＳＣＨのためのリソース割り振りの最後のリソースブロックが最後の割り振り可能なＲＢＧ中にあることを識別することと、ＰＤＳＣＨに関連付けられた基準信号タイプ、１つ又は複数の追加のリソースブロックの量、又はリソース割り振りのＤＣＩフォーマットのうちの少なくとも１つに少なくとも部分的に基づいて、最後のリソースブロックに後続する１つ又は複数の追加のリソースブロックがＰＤＳＣＨのためのリソース割り振りに含まれるかどうかを決定することとを行うように構成され得る。
【０００８】
[0008]いくつかの態様では、非一時的コンピュータ可読媒体は、ワイヤレス通信のための１つ又は複数の命令を記憶し得る。１つ又は複数の命令は、ワイヤレス通信デバイスの１つ又は複数のプロセッサによって実行されると、１つ又は複数のプロセッサに、ＰＤＳＣＨのためのリソース割り振りの最後のリソースブロックが最後の割り振り可能なＲＢＧ中にあることを識別することと、ＰＤＳＣＨに関連付けられた基準信号タイプ、１つ又は複数の追加のリソースブロックの量、又はリソース割り振りのＤＣＩフォーマットのうちの少なくとも１つに少なくとも部分的に基づいて、最後のリソースブロックに後続する１つ又は複数の追加のリソースブロックがＰＤＳＣＨのためのリソース割り振りに含まれるかどうかを決定することとを行わせ得る。
【０００９】
[0009]いくつかの態様では、ワイヤレス通信のための装置は、ＰＤＳＣＨのためのリソース割り振りの最後のリソースブロックが最後の割り振り可能なＲＢＧ中にあることを識別するための手段と、ＰＤＳＣＨに関連付けられた基準信号タイプ、１つ又は複数の追加のリソースブロックの量、又はリソース割り振りのＤＣＩフォーマットのうちの少なくとも１つに少なくとも部分的に基づいて、最後のリソースブロックに後続する１つ又は複数の追加のリソースブロックがＰＤＳＣＨのためのリソース割り振りに含まれるかどうかを決定するための手段とを含み得る。
【００１０】
[0010]態様は一般に、添付の図面及び明細書を参照して及びそれらによって例示されるように本明細書で実質的に説明される、方法、装置、システム、コンピュータプログラム製品、非一時的コンピュータ可読媒体、ユーザ機器、基地局、ワイヤレス通信デバイス、及び処理システムを含む。
【００１１】
[0011]前述は、以下の詳細な説明がより良好に理解され得るように、本開示に従った例の特徴及び技術的利点をどちらかといえば広く概説している。追加の特徴及び利点が以下に説明されることになる。開示される概念及び特定の例は、本開示と同じ目的を実行するための他の構造を修正又は設計するための基礎として容易に利用され得る。そのような等価な構造は、添付された特許請求の範囲から逸脱しない。本明細書で開示される概念の特性は、関連する利点と共に、それらの編成及び動作の方法の両方に関して、添付の図面に関連して検討されたときに以下の説明からより良好に理解されるであろう。図面の各々は、例示及び説明を目的として提供され、特許請求の範囲の限定の定義としては提供されない。
【００１２】
[0012]本開示の上記された特徴が詳細に理解されることができるように、上記に簡潔に要約されたより具体的な説明が、態様への参照によってなされ得、それらのうちのいくつかは、添付された図面に例示される。しかしながら、添付された図面は、この開示のある特定の典型的な態様のみを例示しており、従って、その説明が他の同等に効果的な態様を認め得ることから、その範囲を限定していると見なされるべきではないことに留意されたい。異なる図面における同じ参照番号は、同じ又は同様の要素を識別し得る。
【図面の簡単な説明】
【００１３】
【図１】[0013]本開示の様々な態様による、ワイヤレス通信ネットワークの例を概念的に例示するブロック図である。
【図２】[0014]本開示の様々な態様による、ワイヤレス通信ネットワーク中のＵＥと通信状態にある基地局の例を概念的に例示するブロック図である。
【図３Ａ】[0015]本開示の様々な態様による、ワイヤレス通信ネットワーク中のフレーム構造の例を概念的に例示するブロック図である。
【図３Ｂ】[0016]本開示の様々な態様による、ワイヤレス通信ネットワーク中の実例的な同期通信階層を概念的に例示するブロック図である。
【図４】[0017]本開示の様々な態様による、通常のサイクリックプレフィックスを有する実例的なサブフレームフォーマットを概念的に例示するブロック図である。
【図５】[0018]本開示の様々な態様による、ダウンリンク（ＤＬ）中心サブフレームの例を例示する図である。
【図６】[0019]本開示の様々な態様による、アップリンク（ＵＬ）中心サブフレームの例を例示する図である。
【図７】[0020]本開示の様々な態様による、短送信時間間隔システムのためのリソース割り振りの１つ又は複数の例を例示する図である。
【図８Ａ】本開示の様々な態様による、短送信時間間隔システムのためのリソース割り振りの１つ又は複数の例を例示する図である。
【図８Ｂ】本開示の様々な態様による、短送信時間間隔システムのためのリソース割り振りの１つ又は複数の例を例示する図である。
【図９】本開示の様々な態様による、短送信時間間隔システムのためのリソース割り振りの１つ又は複数の例を例示する図である。
【図１０】本開示の様々な態様による、短送信時間間隔システムのためのリソース割り振りの１つ又は複数の例を例示する図である。
【図１１】本開示の様々な態様による、短送信時間間隔システムのためのリソース割り振りの１つ又は複数の例を例示する図である。
【図１２】[0021]本開示の様々な態様による、例えば、ワイヤレス通信デバイスによって実行される実例的なプロセスを例示する図である。
【詳細な説明】
【００１４】
[0022]本開示の様々な態様は、添付の図面を参照して以下においてより十分に説明される。この開示は、しかしながら、多くの異なる形態で具現化され得、この開示全体を通じて提示される任意の特定の構造又は機能に限定されると解釈されるべきではない。むしろ、これらの態様は、この開示が徹底的且つ完全となり、当業者に本開示の範囲を十分に伝達するように提供される。本明細書での教示に少なくとも部分的に基づいて、当業者は、本開示の任意の他の態様とは独立してインプリメントされるか、又は組み合わされてインプリメントされるかにかかわらず、本開示の範囲が本明細書で開示される開示の任意の態様をカバーすることを意図されることを認識するべきである。例えば、本明細書で記載される任意の数の態様を使用して、装置がインプリメントされ得るか、又は方法が実施され得る。加えて、本開示の範囲は、本明細書で記載される開示の様々な態様に加えて、又はそれ以外の、他の構造、機能、又は構造及び機能を使用して実施されるそのような装置又は方法をカバーすることを意図される。本明細書で開示される開示の任意の態様が特許請求の範囲の１つ又は複数の要素によって具現化され得ることは理解されるべきである。
【００１５】
[0023]ここで、電気通信システムのいくつかの態様が、様々な装置及び技法を参照して提示されることになる。これらの装置及び技法は、以下の詳細な説明において説明され、様々なブロック、モジュール、コンポーネント、回路、ステップ、プロセス、アルゴリズム、及び／又は同様のもの（一括して「要素」と呼ばれる）によって添付の図面において例示されることになる。これらの要素は、ハードウェア、ソフトウェア、又はそれらの組み合わせを使用してインプリメントされ得る。そのような要素がハードウェアとしてインプリメントされるか、又はソフトウェアとしてインプリメントされるかは、特定のアプリケーションとシステム全体上に課せられる設計制約とに依存する。
【００１６】
[0024]態様は、３Ｇ及び／又は４Ｇワイヤレス技術に共通して関連付けられた専門用語を使用して本明細書で説明され得るが、本開示の態様は、ＮＲ技術を含む、５Ｇ以降などの他の世代ベースの通信システムにおいて適用されることができることに留意されたい。
【００１７】
[0025]図１は、本開示の態様が実施され得るネットワーク１００を例示する図である。ネットワーク１００は、ＬＴＥネットワーク又は５Ｇ若しくはＮＲネットワークなどの何らかの他のワイヤレスネットワークであり得る。ワイヤレスネットワーク１００は、いくつかのＢＳ１１０（ＢＳ１１０ａ、ＢＳ１１０ｂ、ＢＳ１１０ｃ、及びＢＳ１１０ｄとして示される）及び他のネットワークエンティティを含み得る。ＢＳは、ユーザ機器（ＵＥ）と通信するエンティティであり、また、基地局、ＮＲ ＢＳ、ノードＢ、ｇＮＢ、５ＧノードＢ（ＮＢ）、アクセスポイント、送受信ポイント（ＴＲＰ）、及び／又は同様の名称で呼ばれ得る。各ＢＳは、特定の地理的エリアに通信カバレッジを提供し得る。３ＧＰＰでは、「セル」という用語は、この用語が使用されるコンテキストに応じて、ＢＳのカバレッジエリア及び／又はこのカバレッジエリアにサービングするＢＳサブシステムを指すことができる。
【００１８】
[0026]ＢＳは、マクロセル、ピコセル、フェムトセル、及び／又は別のタイプのセルに通信カバレッジを提供し得る。マクロセルは、比較的大きい地理的エリア（例えば、半径数キロメートル）をカバーし得、サービスに加入しているＵＥによる無制限のアクセスを可能にし得る。ピコセルは、比較的小さい地理的エリアをカバーし得、サービスに加入しているＵＥによる無制限のアクセスを可能にし得る。フェムトセルは、比較的小さい地理的エリア（例えば、自宅）をカバーし得、フェムトセルとのアソシエーションを有するＵＥ（例えば、限定加入者グループ（ＣＳＧ：closed subscriber group）中のＵＥ）による制限付きアクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳ又はホームＢＳと呼ばれ得る。図１に示される例では、ＢＳ１１０ａは、マクロセル１０２ａのためのマクロＢＳであり得、ＢＳ１１０ｂは、ピコセル１０２ｂのためのピコＢＳであり得、ＢＳ１１０ｃは、フェムトセル１０２ｃのためのフェムトＢＳであり得る。ＢＳは、１つ又は複数の（例えば、３つの）セルをサポートし得る。「ｅＮＢ」、「基地局」、「ＮＲ ＢＳ」、「ｇＮＢ」、「ＴＲＰ」、「ＡＰ」、「ノードＢ」、「５Ｇ ＮＢ」、及び「セル」という用語は、本明細書では交換可能に使用され得る。
【００１９】
[0027]いくつかの例では、セルは、必ずしも固定式ではないことがあり、セルの地理的エリアは、移動式ＢＳのロケーションに従って移動し得る。いくつかの態様では、ＢＳは、任意の適したトランスポートネットワークを使用して、直接物理接続、仮想ネットワーク、及び／又は同様のものなど、様々なタイプのバックホールインターフェースを通じて、アクセスネットワーク１００中で互いに及び／又は１つ又は複数の他のＢＳ若しくはネットワークノード（図示せず）に相互接続され得る。
【００２０】
[0028]ワイヤレスネットワーク１００はまた、中継局を含み得る。中継局は、アップストリーム局（例えば、ＢＳ又はＵＥ）からのデータの送信を受信し、ダウンストリーム局（例えば、ＵＥ又はＢＳ）へのデータの送信を送ることができるエンティティである。中継局はまた、他のＵＥのための送信を中継することができるＵＥであり得る。図１に示される例では、中継局１１０ｄは、ＢＳ１１０ａとＵＥ１２０ｄとの間の通信を容易にするために、マクロＢＳ１１０ａ及びＵＥ１２０ｄと通信し得る。中継局はまた、中継ＢＳ、中継基地局、中継器、及び／又は同様の名称で呼ばれ得る。
【００２１】
[0029]ワイヤレスネットワーク１００は、異なるタイプのＢＳ、例えば、マクロＢＳ、ピコＢＳ、フェムトＢＳ、中継ＢＳ、及び／又は同様のものを含む異種ネットワークであり得る。これらの異なるタイプのＢＳは、ワイヤレスネットワーク１００中で、異なる送信電力レベル、異なるカバレッジエリア、及び干渉に対する異なる影響を有し得る。例えば、マクロＢＳが、高い送信電力レベル（例えば、５〜４０ワット）を有し得るのに対して、ピコＢＳ、フェムトＢＳ、及び中継ＢＳは、より低い送信電力レベル（例えば、０．１〜２ワット）を有し得る。
【００２２】
[0030]ネットワークコントローラ１３０は、ＢＳのセットに結合し得、これらのＢＳに協調及び制御を提供し得る。ネットワークコントローラ１３０は、バックホールを介してＢＳと通信し得る。ＢＳはまた、例えば、ワイヤレス又はワイヤラインバックホールを介して間接的に又は直接互いに通信し得る。
【００２３】
[0031]ＵＥ１２０（例えば、１２０ａ、１２０ｂ、１２０ｃ）は、ワイヤレスネットワーク１００全体を通じて分散され得、各ＵＥは、固定式又は移動式であり得る。ＵＥはまた、アクセス端末、端末、モバイル局、加入者ユニット、局、及び／又は同様の名称で呼ばれ得る。ＵＥは、セルラ電話（例えば、スマートフォン）、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、カメラ、ゲーミングデバイス、ネットブック、スマートブック、ウルトラブック、医療デバイス若しくは機器、生体センサ若しくはデバイス、ウェアラブルデバイス（スマートウォッチ、スマート衣料、スマートグラス、スマートリストバンド、スマートジュエリ（例えば、スマートリング、スマートブレスレット））、エンターテインメントデバイス（例えば、音楽若しくはビデオデバイス、又は衛星ラジオ）、ビークルコンポーネント若しくはセンサ、スマートメータ若しくはセンサ、工業製造機器、全地球測位システムデバイス、又はワイヤレス若しくはワイヤード媒体を介して通信するように構成された任意の他の適したデバイスであり得る。
【００２４】
[0032]いくつかのＵＥは、マシンタイプ通信（ＭＴＣ）又は発展型若しくは拡張マシンタイプ通信（ｅＭＴＣ）ＵＥと見なされ得る。ＭＴＣ ＵＥ及びｅＭＴＣ ＵＥは、基地局、別のデバイス（例えば、遠隔デバイス）、又は何らかの他のエンティティと通信し得る、例えば、ロボット、ドローン、遠隔デバイス、センサ、メータ、モニタ、ロケーションタグ、及び／又は同様のものを含む。ワイヤレスノードは、例えば、ワイヤード又はワイヤレス通信リンクを介して、ネットワーク（例えば、セルラネットワーク又はインターネットなどのワイドエリアネットワーク）のための、又はそれへの接続性を提供し得る。いくつかのＵＥは、モノのインターネット（ＩｏＴ）デバイスと見なされ得る、及び／又はＮＢ−ＩｏＴ（ナローバンドＩｏＴ）デバイスとしてインプリメントされ得る。いくつかのＵＥは、顧客構内機器（ＣＰＥ：Customer Premises Equipment）と見なされ得る。ＵＥ１２０は、プロセッサコンポーネント、メモリコンポーネント、及び／又は同様のものなど、ＵＥ１２０のコンポーネントを収容するハウジング内部に含まれ得る。
【００２５】
[0033]一般に、任意の数のワイヤレスネットワークが、所与の地理的エリア中に展開され得る。各ワイヤレスネットワークは、特定のＲＡＴをサポートし得、１つ又は複数の周波数上で動作し得る。ＲＡＴはまた、無線技術、エアインターフェース、及び／又は同様の名称で呼ばれ得る。周波数はまた、キャリア、周波数チャネル、及び／又は同様の名称で呼ばれ得る。各周波数は、異なるＲＡＴのワイヤレスネットワーク間の干渉を避けるために、所与の地理的エリア中で単一のＲＡＴをサポートし得る。いくつかのケースでは、ＮＲ又は５Ｇ ＲＡＴネットワークが展開され得る。
【００２６】
[0034]いくつかの態様では、（例えば、ＵＥ１２０ａ及びＵＥ１２０ｅとして示される）２つ以上のＵＥ１２０は、（例えば、互いに通信するための媒介として基地局１１０を使用せずに）１つ又は複数のサイドリンクチャネルを使用して直接通信し得る。例えば、ＵＥ１２０は、ピアツーピア（Ｐ２Ｐ）通信、デバイスツーデバイス（Ｄ２Ｄ）通信、ビークルツーエブリシング（Ｖ２Ｘ）プロトコル（例えば、それは、ビークルツービークル（Ｖ２Ｖ）プロトコル、ビークルツーインフラストラクチャ（Ｖ２Ｉ）プロトコル、及び／又は同様のものを含み得る）、メッシュネットワーク、及び／又は同様のものを使用して通信し得る。このケースでは、ＵＥ１２０は、スケジューリング動作、リソース選択動作、及び／又は基地局１１０によって実行されるものとして本明細書の他の箇所で説明される他の動作を実行し得る。
【００２７】
[0035]上記に示されたように、図１は、単に例として提供される。他の例は、図１に関して説明されたものとは異なり得る。
【００２８】
[0036]図２は、図１の基地局のうちの１つ及びＵＥのうちの１つであり得る、基地局１１０及びＵＥ１２０の設計２００のブロック図を示す。基地局１１０は、Ｔ個のアンテナ２３４ａ〜２３４ｔを装備され得、ＵＥ１２０は、Ｒ個のアンテナ２５２ａ〜２５２ｒを装備され得、ここで、一般に、Ｔ≧１及びＲ≧１である。
【００２９】
[0037]基地局１１０において、送信プロセッサ２２０は、１つ又は複数のＵＥのためのデータをデータソース２１２から受信し、ＵＥから受信されたチャネル品質インジケータ（ＣＱＩ）に少なくとも部分的に基づいて、各ＵＥのために１つ又は複数の変調及びコーディングスキーム（ＭＣＳ）を選択し、ＵＥのために選択されたＭＣＳ（１つ以上）に少なくとも部分的に基づいて、各ＵＥのためのデータを処理（例えば、符号化及び変調）し、全てのＵＥにデータシンボルを提供し得る。送信プロセッサ２２０はまた、（例えば、半静的リソース区分化情報（ＳＲＰＩ：semi-static resource partitioning information）、及び／又は同様のものについての）システム情報と、制御情報（例えば、ＣＱＩ要求、許可、上位レイヤシグナリング、及び／又は同様のもの）とを処理し、オーバヘッドシンボル及び制御シンボルを提供し得る。送信プロセッサ２２０はまた、基準信号（例えば、セル固有基準信号（ＣＲＳ））及び同期信号（例えば、プライマリ同期信号（ＰＳＳ）及びセカンダリ同期信号（ＳＳＳ））のための基準シンボルを生成し得る。送信（ＴＸ）多入力多出力（ＭＩＭＯ）プロセッサ２３０は、適用可能な場合に、データシンボル、制御シンボル、オーバヘッドシンボル、及び／又は基準シンボルに対して空間処理（例えば、プリコーディング）を実行し得、Ｔ個の変調器（ＭＯＤ）２３２ａ〜２３２ｔにＴ個の出力シンボルストリームを提供し得る。各変調器２３２は、（例えば、ＯＦＤＭ及び／又は同様のもののために）それぞれの出力シンボルストリームを処理して、出力サンプルストリームを取得し得る。各変調器２３２は更に、出力サンプルストリームを処理（例えば、アナログに変換、増幅、フィルタリング、及びアップコンバート）して、ダウンリンク信号を取得し得る。変調器２３２ａ〜２３２ｔからのＴ個のダウンリンク信号は、それぞれＴ個のアンテナ２３４ａ〜２３４ｔを介して送信され得る。以下でより詳細に説明される様々な態様によると、同期信号は、追加の情報を伝達するためにロケーション符号化を用いて生成されることができる。
【００３０】
[0038]ＵＥ１２０において、アンテナ２５２ａ〜２５２ｒは、基地局１１０及び／又は他の基地局からダウンリンク信号を受信し得、受信された信号をそれぞれ復調器（ＤＥＭＯＤ）２５４ａ〜２５４ｒに提供し得る。各復調器２５４は、受信された信号を調整（例えば、フィルタリング、増幅、ダウンコンバート、及びデジタル化）して、入力サンプルを取得し得る。各復調器２５４は更に、（例えば、ＯＦＤＭ及び／又は同様のもののために）入力サンプルを処理して、受信されたシンボルを取得し得る。ＭＩＭＯ検出器２５６は、全てのＲ個の復調器２５４ａ〜２５４ｒから受信されたシンボルを取得し、適用可能な場合、受信されたシンボルに対してＭＩＭＯ検出を実行し、検出されたシンボルを提供し得る。受信プロセッサ２５８は、検出されたシンボルを処理（例えば、復調及び復号）し、データシンク２６０にＵＥ１２０のための復号されたデータを提供して、コントローラ／プロセッサ２８０に復号された制御情報及びシステム情報を提供し得る。チャネルプロセッサは、基準信号受信電力（ＲＳＲＰ）、受信信号強度インジケータ（ＲＳＳＩ）、基準信号受信品質（ＲＳＲＱ）、チャネル品質インジケータ（ＣＱＩ）、及び／又は同様のものを決定し得る。
【００３１】
[0039]アップリンク上では、ＵＥ１２０において、送信プロセッサ２６４が、データソース２６２からのデータ及びコントローラ／プロセッサ２８０からの（例えば、ＲＳＲＰ、ＲＳＳＩ、ＲＳＲＱ、ＣＱＩ、及び／又は同様のものを備える報告のための）制御情報を受信及び処理し得る。送信プロセッサ２６４はまた、１つ又は複数の基準信号のための基準シンボルを生成し得る。送信プロセッサ２６４からのシンボルは、適用可能な場合に、ＴＸ ＭＩＭＯプロセッサ２６６によってプリコーディングされ、（例えば、ＤＦＴ−ｓ−ＯＦＤＭ、ＣＰ−ＯＦＤＭ、及び／又は同様のもののために）変調器２５４ａ〜２５４ｒによって更に処理され、基地局１１０に送信され得る。基地局１１０において、ＵＥ１２０及び他のＵＥからのアップリンク信号は、アンテナ２３４によって受信され、復調器２３２によって処理され、適用可能な場合に、ＭＩＭＯ検出器２３６によって検出され、受信プロセッサ２３８によって更に処理されて、ＵＥ１２０によって送られた復号されたデータ及び制御情報が取得され得る。受信プロセッサ２３８は、復号されたデータをデータシンク２３９に提供し、復号された制御情報をコントローラ／プロセッサ２４０に提供し得る。基地局１１０は、通信ユニット２４４を含み、通信ユニット２４４を介してネットワークコントローラ１３０に通信し得る。ネットワークコントローラ１３０は、通信ユニット２９４、コントローラ／プロセッサ２９０、及びメモリ２９２を含み得る。
【００３２】
[0040]いくつかの態様では、ＵＥ１２０の１つ又は複数のコンポーネントは、ハウジング中に含まれ得る。基地局１１０のコントローラ／プロセッサ２４０、ＵＥ１２０のコントローラ／プロセッサ２８０、及び／又は図２の任意の他のコンポーネント（１つ以上）は、本明細書の他の箇所でより詳細に説明されるように、短送信時間間隔システムのためのリソース割り振りに関連付けられた１つ又は複数の技法を実行し得る。例えば、基地局１１０のコントローラ／プロセッサ２４０、ＵＥ１２０のコントローラ／プロセッサ２８０、及び／又は図２の任意の他のコンポーネント（１つ以上）は、例えば、図１２のプロセス１２００、及び／又は本明細書で説明される他のプロセスの動作を実行又は指示し得る。メモリ２４２及び２８２は、それぞれ基地局１１０及びＵＥ１２０のためのデータ及びプログラムコードを記憶し得る。スケジューラ２４６は、ダウンリンク及び／又はアップリンク上でのデータ送信のためにＵＥをスケジューリングし得る。
【００３３】
[0041]いくつかの態様では、ワイヤレス通信デバイス（例えば、ＵＥ１２０及び／又は基地局１１０）は、ＰＤＳＣＨのためのリソース割り振りの最後のリソースブロックが最後の割り振り可能なＲＢＧ中にあることを識別するための手段、ＰＤＳＣＨに関連付けられた基準信号タイプ、１つ又は複数の追加のリソースブロックの量、又はリソース割り振りのＤＣＩフォーマットのうちの少なくとも１つに少なくとも部分的に基づいて、最後のリソースブロックに後続する１つ又は複数の追加のリソースブロックがＰＤＳＣＨのためのリソース割り振りに含まれるかどうかを決定するための手段、及び／又は同様のものを含み得る。いくつかの態様では、そのような手段は、図２に関して説明されたＵＥ１２０及び／又はＢＳ１１０の１つ又は複数のコンポーネントなど、ワイヤレス通信デバイスの１つ又は複数のコンポーネントを含み得る。
【００３４】
[0042]上記に示されたように、図２は、単に例として提供される。他の例は、図２に関して説明されたものとは異なり得る。
【００３５】
[0043]図３Ａは、電気通信システム（例えば、ＮＲ）における周波数分割複信（ＦＤＤ）のための実例的なフレーム構造３００を示す。ダウンリンク及びアップリンクの各々のための送信タイムラインは、無線フレームの単位に区分化され得る。各無線フレームは、所定の持続時間を有し得、（例えば、０〜Ｚ−１のインデックスを有する）Ｚ（Ｚ≧１）個のサブフレームのセットへの区分であり得る。各サブフレームは、スロットのセットを含み得る（例えば、サブフレーム毎に２つのスロットが図３Ａに示されている）。各スロットは、Ｌ個のシンボル期間のセットを含み得る。例えば、各スロットは、（例えば、図３Ａに示されるように）７つのシンボル期間、１５個のシンボル期間、及び／又は同様のものを含み得る。サブフレームが２つのスロットを含むケースでは、サブフレームは、２Ｌ個のシンボル期間を含み得、ここで、各サブフレーム中の２Ｌ個のシンボル期間は、０〜２Ｌ−１のインデックスを割り当てられ得る。いくつかの態様では、ＦＤＤのためのスケジューリング単位は、フレームベース、サブフレームベース、スロットベース、シンボルベース、及び／又は同様のものであり得る。
【００３６】
[0044]いくつかの技法が、フレーム、サブフレーム、スロット、及び／又は同様のものに関して本明細書で説明されるが、これらの技法は、５Ｇ ＮＲにおける「フレーム」、「サブフレーム」、「スロット」、及び／又は同様のもの以外の用語を使用して呼ばれ得る、他のタイプのワイヤレス通信構造に等しく適用され得る。いくつかの態様では、ワイヤレス通信構造は、ワイヤレス通信規格及び／又はプロトコルによって定義された周期的時間有界通信単位（a periodic time-bounded communication unit）を指し得る。加えて又は代替として、図３Ａに示されるものとは異なる構成のワイヤレス通信構造が使用され得る。
【００３７】
[0045]ある特定の電気通信（例えば、ＮＲ）では、基地局は、同期信号を送信し得る。例えば、基地局は、基地局によってサポートされるセル毎にダウンリンク上でプライマリ同期信号（ＰＳＳ）、セカンダリ同期信号（ＳＳＳ）、及び／又は同様のものを送信し得る。ＰＳＳ及びＳＳＳは、セル探索及び獲得のためにＵＥによって使用され得る。例えば、ＰＳＳは、シンボルタイミングを決定するためにＵＥによって使用され得、ＳＳＳは、基地局に関連付けられた物理セル識別子と、フレームタイミングとを決定するためにＵＥによって使用され得る。基地局はまた、物理ブロードキャストチャネル（ＰＢＣＨ）を送信し得る。ＰＢＣＨは、ＵＥによる初期アクセスをサポートするシステム情報などの、何らかのシステム情報を搬送し得る。
【００３８】
[0046]いくつかの態様では、基地局は、図３Ｂに関して以下に説明されるように、複数の同期通信（例えば、同期信号（ＳＳ）ブロック）を含む同期通信階層（例えば、ＳＳ階層）に従って、ＰＳＳ、ＳＳＳ、及び／又はＰＢＣＨを送信し得る。
【００３９】
[0047]図３Ｂは、同期通信階層の例である、実例的なＳＳ階層を概念的に例示するブロック図である。図３Ｂに示されるように、ＳＳ階層は、ＳＳバーストセットを含み得、それは、複数のＳＳバースト（ＳＳバースト０からＳＳバーストＢ−１として識別され、ここで、Ｂは、基地局によって送信され得るＳＳバーストの最大反復数である）を含み得る。更に示されるように、各ＳＳバーストは、１つ又は複数のＳＳブロック（ＳＳブロック０〜ＳＳブロック（ｂmax_SS-1）として識別され、ここで、ｂmax_SS-1は、ＳＳバーストによって搬送されることができるＳＳブロックの最大数である）を含み得る。いくつかの態様では、異なるＳＳブロックは、異なるようにビーム形成され得る。ＳＳバーストセットは、図３Ｂに示されるように、Ｘミリ秒毎など、ワイヤレスノードによって周期的に送信され得る。いくつかの態様では、ＳＳバーストセットは、図３ＢにおいてＹミリ秒として示される固定又は動的な長さを有し得る。
【００４０】
[0048]図３Ｂに示されるＳＳバーストセットは、同期通信セットの例であり、本明細書で説明される技法に関して他の同期通信セットが使用され得る。更に、図３Ｂに示されるＳＳブロックは、同期通信の例であり、本明細書で説明される技法に関連して他の同期通信が使用され得る。
【００４１】
[0049]いくつかの態様では、ＳＳブロックは、ＰＳＳ、ＳＳＳ、ＰＢＣＨ、及び／又は他の同期信号（例えば、３次同期信号（ＴＳＳ））及び／又は同期チャネルを搬送するリソースを含む。いくつかの態様では、複数のＳＳブロックが、ＳＳバースト中に含まれ、ＰＳＳ、ＳＳＳ、及び／又はＰＢＣＨは、ＳＳバーストの各ＳＳブロックにわたって同じであり得る。いくつかの態様では、単一のＳＳブロックが、ＳＳバースト中に含まれ得る。いくつかの態様では、ＳＳブロックは、長さが少なくとも４つのシンボル期間であり得、ここで、各シンボルは、ＰＳＳ（例えば、１つのシンボルを占有する）、ＳＳＳ（例えば、１つのシンボルを占有する）、及び／又はＰＢＣＨ（例えば、２つのシンボルを占有する）のうちの１つ又は複数を搬送する。
【００４２】
[0050]いくつかの態様では、図３Ｂに示されるように、ＳＳブロックのシンボルは連続している。いくつかの態様では、ＳＳブロックのシンボルは非連続である。同様に、いくつかの態様では、ＳＳバーストの１つ又は複数のＳＳブロックは、１つ又は複数のサブフレーム中に連続する無線リソース（例えば、連続するシンボル期間）中で送信され得る。加えて又は代替として、ＳＳバーストの１つ又は複数のＳＳブロックは、非連続無線リソース中で送信され得る。
【００４３】
[0051]いくつかの態様では、ＳＳバーストは、バースト期間を有し得、それによって、ＳＳバーストのＳＳブロックは、バースト期間に従って基地局によって送信される。言い換えれば、ＳＳブロックは、各ＳＳバースト中に繰り返され得る。いくつかの態様では、ＳＳバーストセットは、バーストセット周期性を有し得、それによって、ＳＳバーストセットのＳＳバーストは、固定バーストセット周期性に従って基地局によって送信される。言い換えれば、ＳＳバーストは、各ＳＳバーストセット中に繰り返され得る。
【００４４】
[0052]基地局は、ある特定のサブフレーム中に物理ダウンリンク共有チャネル（ＰＤＳＣＨ）上でシステム情報ブロック（ＳＩＢ）などのシステム情報を送信し得る。基地局は、サブフレームのＣ個のシンボル期間中に物理ダウンリンク制御チャネル（ＰＤＣＣＨ）上で制御情報／データを送信し得、ここで、Ｂは、サブフレーム毎に構成可能であり得る。基地局は、各サブフレームの残りのシンボル期間中にＰＤＳＣＨ上でトラフィックデータ及び／又は他のデータを送信し得る。
【００４５】
[0053]上記に示されたように、図３Ａ及び３Ｂは、例として提供される。他の例は、図３Ａ及び３Ｂに関して説明されたものとは異なり得る。
【００４６】
[0054]図４は、通常のサイクリックプレフィックスを有する実例的なサブフレームフォーマット４１０を示す。利用可能な時間周波数リソースは、リソースブロックに区分化され得る。各リソースブロックは、１つのスロット中のサブキャリアのセット（例えば、１２個のサブキャリア）をカバーし得、いくつかのリソース要素を含み得る。各リソース要素は、（例えば、時間的に）１つのシンボル期間中に１つのサブキャリアをカバーし得、実数値又は複素数値であり得る１つの変調シンボルを送るために使用され得る。いくつかの態様では、サブフレームフォーマット４１０は、本明細書で説明されるように、ＰＳＳ、ＳＳＳ、ＰＢＣＨ、及び／又は同様のものを搬送するＳＳブロックの送信のために使用され得る。
【００４７】
[0055]インターレース構造は、ある特定の電気通信システム（例えば、ＮＲ）におけるＦＤＤのためのダウンリンク及びアップリンクの各々のために使用され得る。例えば、０〜Ｑ−１のインデックスを有するＱ個のインターレースが定義され得、ここで、Ｑは、４、６、８、１０、又は何らかの他の値に等しくあり得る。各インターレースは、Ｑ個のフレームによって離間されたサブフレームを含み得る。特に、インターレースｑは、サブフレームｑ、ｑ＋Ｑ、ｑ＋２Ｑ、等を含み得、ここで、ｑ∈｛０，．．．，Ｑ−１｝である。
【００４８】
[0056]１つのＵＥは、複数のＢＳのカバレッジ内にロケートされ得る。これらのＢＳのうちの１つが、そのＵＥにサービングするために選択され得る。サービングＢＳは、受信信号強度、受信信号品質、経路損失、及び／又は同様のものなどの様々な基準に少なくとも部分的に基づいて選択され得る。受信信号品質は、信号対雑音及び干渉比（ＳＩＮＲ）、又は基準信号受信品質（ＲＳＲＱ）、又は何らかの他のメトリックによって定量化され得る。ＵＥは、そのＵＥが１つ又は複数の干渉するＢＳからの高い干渉を観測し得る支配的な干渉シナリオにおいて動作し得る。
【００４９】
[0057]本明細書で説明される例の態様は、ＮＲ又は５Ｇ技術に関連付けられ得るが、本開示の態様は、他のワイヤレス通信システムに適用可能であり得る。ニューラジオ（ＮＲ）は、新しいエアインターフェース（例えば、直交周波数分割多元接続（ＯＦＤＭＡ）ベースのエアインターフェース以外）又は固定トランスポートレイヤ（例えば、インターネットプロトコル（ＩＰ）以外）に従って動作するように構成された無線を指し得る。態様では、ＮＲは、アップリンク上でＣＰを有するＯＦＤＭ（本明細書ではサイクリックプレフィックスＯＦＤＭ又はＣＰ−ＯＦＤＭと呼ばれる）及び／又はＳＣ−ＦＤＭを利用し得、ダウンリンク上でＣＰ−ＯＦＤＭを利用し得、時分割複信（ＴＤＤ）を使用する半複信動作のためのサポートを含み得る。態様では、ＮＲは、例えば、アップリンク上でＣＰを有するＯＦＤＭ（本明細書ではＣＰ−ＯＦＤＭと呼ばれる）及び／又は離散フーリエ変換拡散直交周波数分割多重化（ＤＦＴ−ｓ−ＯＦＤＭ）を利用し得、ダウンリンク上でＣＰ−ＯＦＤＭを利用し得、ＴＤＤを使用する半複信動作のためのサポートを含み得る。ＮＲは、広帯域幅（例えば、８０メガヘルツ（ＭＨｚ）以上）をターゲットとする拡張モバイルブロードバンド（ｅＭＢＢ）サービス、高キャリア周波数（例えば、６０ギガヘルツ（ＧＨｚ））をターゲットとするミリメートル波（ｍｍＷ）、非後方互換ＭＴＣ技法をターゲットとする大規模ＭＴＣ（ｍＭＴＣ）、及び／又は超高信頼低レイテンシ通信（ＵＲＬＬＣ）サービスをターゲットとするミッションクリティカルを含み得る。
【００５０】
[0058]ビームフォーミングがサポートされ得、ビーム方向が動的に構成され得る。プリコーディングを伴うＭＩＭＯ送信もまたサポートされ得る。ＤＬにおけるＭＩＭＯ構成は、最大８つのストリーム及びＵＥ毎に最大２つのストリームのマルチレイヤＤＬ送信を伴う最大８つの送信アンテナをサポートし得る。ＵＥ毎に最大２つのストリームを伴うマルチレイヤ送信がサポートされ得る。複数のセルのアグリゲーションが、最大８つのサービングセルを伴ってサポートされ得る。代替として、ＮＲは、ＯＦＤＭベースのインターフェース以外の異なるエアインターフェースをサポートし得る。ＮＲネットワークは、中央ユニット又は分散型ユニットなどのエンティティを含み得る。
【００５１】
[0059]上記に示されたように、図４は、例として提供される。他の例は、図４に関して説明されたものとは異なり得る。
【００５２】
[0060]図５は、ＤＬ中心サブフレーム又はワイヤレス通信構造の例を示す図５００である。ＤＬ中心サブフレームは、制御部分５０２を含み得る。制御部分５０２は、ＤＬ中心サブフレームの初期即ち開始部分中に存在し得る。制御部分５０２は、ＤＬ中心サブフレームの様々な部分に対応する様々なスケジューリング情報及び／又は制御情報を含み得る。いくつかの構成では、制御部分５０２は、図５に示されるように、物理ＤＬ制御チャネル（ＰＤＣＣＨ）であり得る。いくつかの態様では、制御部分５０２は、レガシーＰＤＣＣＨ情報、短縮ＰＤＣＣＨ（ｓＰＤＣＣＨ）情報、（例えば、物理制御フォーマットインジケータチャネル（ＰＣＦＩＣＨ）上で搬送される）制御フォーマットインジケータ（ＣＦＩ）値、１つ又は複数の許可（例えば、ダウンリンク許可、アップリンク許可、及び／又は同様のもの）、及び／又は同様のものを含み得る。
【００５３】
[0061]ＤＬ中心サブフレームはまた、ＤＬデータ部分５０４を含み得る。ＤＬデータ部分５０４は、ＤＬ中心サブフレームのペイロードと呼ばれることもある。ＤＬデータ部分５０４は、スケジューリングエンティティ（例えば、ＵＥ又はＢＳ）から下位エンティティ（例えば、ＵＥ）にＤＬデータを通信するために利用される通信リソースを含み得る。いくつかの構成では、ＤＬデータ部分５０４は、ＰＤＳＣＨであり得る。
【００５４】
[0062]ＤＬ中心サブフレームはまた、ＵＬ短バースト部分５０６を含み得る。ＵＬ短バースト部分５０６は、ＵＬバースト、ＵＬバースト部分、共通ＵＬバースト、短バースト、ＵＬ短バースト、共通ＵＬ短バースト、共通ＵＬ短バースト部分、及び／又は様々な他の適した用語で呼ばれることもある。いくつかの態様では、ＵＬ短バースト部分５０６は、１つ又は複数の基準信号を含み得る。加えて又は代替として、ＵＬ短バースト部分５０６は、ＤＬ中心サブフレームの様々な他の部分に対応するフィードバック情報を含み得る。例えば、ＵＬ短バースト部分５０６は、制御部分５０２及び／又はデータ部分５０４に対応するフィードバック情報を含み得る。ＵＬ短バースト部分５０６に含まれ得る情報の非限定的な例は、肯定応答（ＡＣＫ）信号（例えば、物理アップリンク制御チャネル（ＰＵＣＣＨ））ＡＣＫ、物理アップリンク共有チャネル（ＰＵＳＣＨ）ＡＣＫ、即時ＡＣＫ）、否定応答（ＮＡＣＫ）信号（例えば、ＰＵＣＣＨ ＮＡＣＫ、ＰＵＳＣＨ ＮＡＣＫ、即時ＮＡＣＫ）、スケジューリング要求（ＳＲ）、バッファ状態報告（ＢＳＲ）、ハイブリッド自動再送要求インジケータ、チャネル状態インジケーション（ＣＳＩ）、チャネル品質インジケータ（ＣＱＩ）、サウンディング基準信号（ＳＲＳ）、復調基準信号（ＤＭＲＳ）、ＰＵＳＣＨデータ、及び／又は様々な他の適したタイプの情報を含む。ＵＬ短バースト部分５０６は、ランダムアクセスチャネル（ＲＡＣＨ）プロシージャ、スケジューリング要求に関係する情報、及び様々な他の適したタイプの情報などの、追加又は代替の情報を含み得る。
【００５５】
[0063]図５に例示されるように、ＤＬデータ部分５０４の終端は、ＵＬ短バースト部分５０６の始端から時間的に隔てられ得る。この時間の隔たりは、ギャップ、ガード期間、ガードインターバル、及び／又は様々な他の適した用語で呼ばれることもある。この隔たりは、ＤＬ通信（例えば、下位エンティティ（例えば、ＵＥ）による受信動作）からＵＬ通信（例えば、下位エンティティ（例えば、ＵＥ）による送信）へのスイッチオーバのための時間を提供する。前述は、単にＤＬ中心ワイヤレス通信構造の一例に過ぎず、同様の特徴を有する代替の構造が、本明細書で説明される態様から必ずしも逸脱することなしに存在し得る。
【００５６】
[0064]上記に示されたように、図５は、単に例として提供される。他の例は、図５に関して説明されたものとは異なり得る。
【００５７】
[0065]図６は、ＵＬ中心サブフレーム又はワイヤレス通信構造の例を示す図６００である。ＵＬ中心サブフレームは、制御部分６０２を含み得る。制御部分６０２は、ＵＬ中心サブフレームの初期即ち開始部分中に存在し得る。図６における制御部分６０２は、図５を参照して上述された制御部分５０２と同様であり得る。ＵＬ中心サブフレームはまた、ＵＬ長バースト部分６０４を含み得る。ＵＬ長バースト部分６０４は、ＵＬ中心サブフレームのペイロードと呼ばれることもある。ＵＬ部分は、下位エンティティ（例えば、ＵＥ）からスケジューリングエンティティ（例えば、ＵＥ又はＢＳ）にＵＬデータを通信するために利用される通信リソースを指し得る。いくつかの構成では、制御部分６０２は、物理ＤＬ制御チャネル（ＰＤＣＣＨ）であり得る。
【００５８】
[0066]図６に例示されるように、制御部分６０２の終端は、ＵＬ長バースト部分６０４の始端から時間的に隔てられ得る。この時間の隔たりは、ギャップ、ガード期間、ガードインターバル、及び／又は様々な他の適した用語で呼ばれることもある。この隔たりは、ＤＬ通信（例えば、スケジューリングエンティティによる受信動作）からＵＬ通信（例えば、スケジューリングエンティティによる送信）へのスイッチオーバのための時間を提供する。
【００５９】
[0067]ＵＬ中心サブフレームはまた、ＵＬ短バースト部分６０６を含み得る。図６におけるＵＬ短バースト部分６０６は、図５を参照して上述されたＵＬ短バースト部分５０６と同様であり得、図５に関連して上述された情報のうちの任意のものを含み得る。前述は、単にＵＬ中心ワイヤレス通信構造の一例に過ぎず、同様の特徴を有する代替の構造が、本明細書で説明される態様から必ずしも逸脱することなしに存在し得る。
【００６０】
[0068]いくつかの態様によると、帯域幅の1つ又は複数の追加のリソースブロックは、ＰＤＳＣＨに関連付けられた基準信号タイプ及び／又はリソース割り振りの帯域幅に少なくとも部分的に基づいて、ＰＤＳＣＨのためのリソース割り振り内に含まれ得る。
【００６１】
[0069]いくつかの状況では、２つ以上の下位エンティティ（例えば、ＵＥ）が、サイドリンク信号を使用して互いに通信し得る。そのようなサイドリンク通信の実世界でのアプリケーションは、公共の安全性、近接サービス、ＵＥ対ネットワーク中継、ビークルツービークル（Ｖ２Ｖ）通信、あらゆるモノのインターネット（ＩｏＥ：Internet of Everything）通信、ＩｏＴ通信、ミッションクリティカルメッシュ、及び／又は様々な他の適したアプリケーションを含み得る。一般に、サイドリンク信号は、スケジューリングエンティティ（例えば、ＵＥ又はＢＳ）がスケジューリング及び／又は制御の目的で利用され得るとしても、そのスケジューリングエンティティを通じてその通信を中継することなしに、ある下位エンティティ（例えば、ＵＥ１）から別の下位エンティティ（例えば、ＵＥ２）に通信される信号を指し得る。いくつかの態様では、サイドリンク信号は、（典型的にアンライセンススペクトルを使用するワイヤレスローカルエリアネットワークとは異なり）ライセンススペクトルを使用して通信され得る。
【００６２】
[0070]一例では、フレームなどのワイヤレス通信構造は、ＵＬ中心サブフレームとＤＬ中心サブフレームの両方を含み得る。この例では、フレーム中のＤＬ中心サブフレームに対するＵＬ中心サブフレームの比は、送信されるＵＬデータの量及びＤＬデータの量に少なくとも部分的に基づいて動的に調整され得る。例えば、より多くのＵＬデータがある場合、ＤＬ中心サブフレームに対するＵＬ中心サブフレームの比は増大し得る。逆に、より多くのＤＬデータがある場合、ＤＬ中心サブフレームに対するＵＬ中心サブフレームの比は減少し得る。
【００６３】
[0071]上記に示されたように、図６は、単に例として提供される。他の例は、図６に関して説明されたものとは異なり得る。
【００６４】
[0072]多くの事例では、通信システムのリソースブロックは、規格又は技術的合意（technical agreement）に従って割り振られるべきである。例えば、短縮時間送信間隔（ｓＴＴＩ）のためのリソース割り振りタイプ２（ＲＡＴ２）の場合、リソースブロックは、通信システムの帯域幅に少なくとも部分的に基づいて、特定の方式で（例えば、特定の開始粒度又はリソースブロックグループ（ＲＢＧ）サイズを使用して）割り振られるべきである。いくつかの事例では、１つの実施のための１つの規格又は技術的合意の規則又はプロシージャは、別の通信規格又は技術的合意の規則又はプロシージャと対立する（conflict with）可能性がある。例えば、ｓＴＴＩのためのＲＡＴ２のための上記の規格は、奇数個のリソースブロックがＰＤＳＣＨのためのリソース割り振りの最後のリソースブロックグループ内に含まれることを可能にすることができる。しかしながら、プリコーディングリソースブロックグループ（ＰＲＧ）のサイズが２つのリソースブロックのサイズを有するべきであること、及び復調基準信号（ＤＭＲＳ）ベースのＰＤＳＣＨが分離された（isolated）リソースブロックを有するＰＲＧにマッピングされるべきではないこと（これはＲＢＧ中に奇数個のリソースブロックがあるときに生じる）という技術的合意があり得る。それ故に、ある特定の帯域幅を有する通信システムの場合、ｓＴＴＩのためのＲＡＴ２のための規格は、ＤＭＲＳベースの通信システムにおけるＰＲＧサイズのための技術的合意と対立する可能性がある。
【００６５】
[0073]それ故に、本明細書で説明されるいくつかの態様では、ワイヤレス通信デバイスは、ＰＤＳＣＨのためのリソース割り振りの最後のリソースブロックがリソース割り振りの最後の割り振り可能なＲＢＧ中にあることを識別することと、ＰＤＳＣＨに関連付けられた基準信号（ＲＳ）タイプ（例えば、セル固有基準信号（ＣＲＳ）、ＤＭＲＳ、又はその他）、１つ又は複数の追加のリソースブロックの量、システム帯域幅、及び／又は同様のものに少なくとも部分的に基づいて、1つ又は複数の追加のリソースブロックがリソース割り振りに含まれるかどうかを決定することとを行い得る。更に、本明細書で説明されるいくつかの態様によると、ワイヤレス通信デバイスは、最後の割り振り可能なＲＢＧに後続する追加のリソースブロックがリソース割り振りに含まれる及び／又は含まれるべきであると決定することによって、リソース割り振りの利用可能な帯域幅を完全に利用し得る。それ故に、本明細書のいくつかの例は、未使用の帯域幅（例えば、ｓＴＴＩ中のブロック中の追加のリソース）を利用することによって、割り振られた帯域幅及び／又はスループットを増大させる。それ故に、帯域幅を増大させることは、リソース割り振りにおけるリソースブロックの性能及び利用を改善することができ、他のコンピューティングリソース及び／又はネットワークリソースの節約を可能にする（例えば、より少ない送信が必要とされ得る)。
【００６６】
[0074]図７は、本開示の様々な態様による、短送信時間間隔システムのためのリソース割り振りの例７００を例示する図である。図７の例７００は、最後の割り振り可能なリソースブロックグループ（ＲＢＧ）の最後のリソースブロックに後続する追加のリソースブロックがＰＤＳＣＨのためのリソース割り振りに含まれるかどうかを決定するためにワイヤレス通信デバイスによって実行されることができる実例的なリソース割り振り分析を含む。参照番号７１０によって示されるように、ワイヤレス通信デバイスは、帯域幅の追加のリソースブロック（ＲＢ）がリソース割り振りに含まれるべきかどうかを決定し得る。
【００６７】
[0075]図７に参照番号７２０によって示されるように、ワイヤレス通信デバイスは、リソース割り振りのために、リソース割り振りのＰＤＳＣＨがセル固有基準信号（ＣＲＳ）によって（例えば、ＰＤＣＣＨ若しくはｓＰＤＣＣＨによって）シグナリングされるか、又はＤＭＲＳによってシグナリングされるかを決定し得る。いくつかの態様では、ワイヤレス通信デバイスは、（例えば、ＰＤＣＣＨ又はｓＰＤＣＣＨ中で示され得る）リソース割り振りを通信するために用いられるダウンリンク制御情報フォーマットに少なくとも部分的に基づいて、基準信号タイプ（例えば、ＣＲＳ又はＤＭＲＳ）を決定し得る。例えば、ＰＤＣＣＨ／ＳＰＤＣＣＨフォーマット７−１Ａ、７−１Ｂ、７−１Ｃ、及び７−１Ｄは、ＣＲＳ送信モードのために使用され得るのに対して、ＰＤＣＣＨ／ＳＰＤＣＣＨフォーマット７−１Ｅ、７−１Ｆ、及び７−１Ｇは、ＤＭＲＳ送信モードのために使用され得る。
【００６８】
[0076]図７の参照番号７３０によって示されるように、ワイヤレス通信デバイスが、リソース割り振りがＣＲＳを使用してシグナリングされると決定した場合、ワイヤレス通信デバイスは、リソース割り振りの最後の割り振り可能なＲＢＧに後続する追加のリソースブロックがリソース割り振りに含まれると決定し得る。いくつかの態様では、ワイヤレス通信デバイスは、追加のリソースブロックがリソース割り振りの最後の割り振り可能なＲＢＧ中に含まれると決定し得る。
【００６９】
[0077]図７の例７００では、ワイヤレス通信デバイスが、リソース割り振りがＤＭＲＳを使用してシグナリングされると決定した場合、ワイヤレス通信デバイスは、参照番号７４０によって示されるように、追加のリソースブロックの量を決定し得る。例えば、図７に示されるように、追加のリソースブロックの量が１より大きい場合、ワイヤレス通信デバイスは、参照番号７５０によって示されるように、少なくとも２つの追加のＲＢがリソース割り振りに含まれると決定し得る。その一方で、ワイヤレス通信デバイスが、追加のリソースブロックの数が１より大きくないと決定した場合、ワイヤレス通信デバイスは、参照番号７６０によって示されるように、追加のリソースブロックがリソース割り振りに含まれるべきではないと決定し得る。
【００７０】
[0078]いくつかの例によると、ワイヤレス通信デバイスは、最後の割り振り可能なＲＢＧの最後のリソースブロックのインデックスとリソース割り振りの帯域幅とに少なくとも部分的に基づいて、追加のリソースブロックの量を決定し得る。いくつかの態様では、最後のリソースブロックのインデックスは、リソース割り振りの帯域幅と、リソース割り振りの帯域幅に対応する開始点粒度及びＲＢＧサイズとに依存し得る。
【００７１】
[0079]加えて又は代替として、ワイヤレス通信デバイスは、追加のリソースブロックの量が１より大きいかどうかを決定し得、ワイヤレス通信デバイスは、１つ又は複数の追加のリソースブロックの量が、ＤＭＲＳに関連付けられたＰＲＧのサイズで割り切れるか、又はＰＲＧのサイズより大きいかを決定し得る。いくつかの態様では、ワイヤレス通信デバイスは、１つ又は複数の追加のリソースブロックの量が、リソースブロックの数で表されたＰＲＧのサイズの整数倍であるかどうか（例えば、ＰＲＧサイズが２である場合には偶数）、１つ又は複数の追加のリソースブロックの量が、リソースブロックの数で表されたＰＲＧのサイズの非整数倍であり、ＰＲＧサイズより大きいかどうか（例えば、ＰＲＧサイズが２である場合には２より大きい奇数）、１つ又は複数の追加のリソースブロックの量が、リソースブロックの数で表されたＰＲＧのサイズの非整数倍であり、ＰＲＧサイズ未満であるかどうか（例えば、ＰＲＧサイズが２である場合には２未満の奇数）、及び／又は同様のものを決定し得る。それ故に、追加のリソースブロックの決定された量に少なくとも部分的に基づいて、ワイヤレス通信デバイスは、追加のリソースブロックがリソース割り振りに含まれる（又はリソース割り振りの最後の割り振り可能なＲＢＧ内に含まれる）かどうかを決定することができる。
【００７２】
[0080]それ故に、実例的なワイヤレス通信デバイスは、帯域幅の追加のリソースブロックが、その帯域幅のリソース割り振り中に及び／又はリソース割り振りの最後のＲＢＧ中に含まれることを利用及び／又は決定し得る。そのため、ワイヤレス通信デバイスは、ｓＴＴＩの下でより大きい帯域幅を達成し得、このことから、帯域幅の効率的な使用を通じて性能を増大させる。態様では、本方法は、１つ又は複数のｓＴＴＩを使用する通信のために用いられ得る。態様では、２つのそのような送信時間間隔（ＴＴＩ）は、異なるＴＴＩ長を有し得る。
【００７３】
[0081]上記に示されたように、図７は、例として提供される。他の例は、図７に関して説明されたものとは異なり得る。
【００７４】
[0082]図８Ａ及び８Ｂは、本開示の様々な態様による、短送信時間間隔システムのためのリソース割り振りの例８００を例示する図である。例８００では、５ＭＨｚの帯域幅を有するリソース割り振りが、本明細書で説明される例に従って示される。例８００では、リソース割り振りは、０〜２４のインデックス、インデックス０又はインデックス２の開始点、２つのブロックの開始点粒度、及び４つのブロックのＲＢＧサイズを有する。それ故に、例８００のパラメータについて、ワイヤレス通信デバイスは、追加のリソースブロックの量が開始点に応じて１つ又は３つである可能性があると決定し得る。
【００７５】
[0083]図８Ａにおいて参照番号８１０によって示されるように、例８００においてＰＤＳＣＨがインデックス２３にマッピングされるとき、ワイヤレス通信デバイスは、基準信号タイプがＣＲＳタイプであるときに、帯域幅のインデックス２４における１つの追加のリソースブロックがリソース割り振りに含まれると決定し得る。参照番号８２０によって示されるように、例８００においてＰＤＳＣＨがインデックス２１にマッピングされるとき、ワイヤレス通信デバイスは、基準信号タイプがＣＲＳタイプであるときに、帯域幅のインデックス２２、インデックス２３、及びインデックス２４における３つの追加のリソースブロックがリソース割り振りに含まれると決定し得る。それ故に、５ＭＨｚ通信システムでは、帯域幅は、ＣＲＳを使用して少なくとも４％だけ増大することができる。
【００７６】
[0084]図８Ｂにおいて参照番号８３０によって示されるように、例８００においてＰＤＳＣＨがインデックス２３にマッピングされるとき、ワイヤレス通信デバイスは、基準信号タイプがＤＭＲＳタイプであるときに、帯域幅のインデックス２４における追加のリソースブロックがリソース割り振りに含まれないと決定し得る。そのようなケースでは、インデックス２４におけるリソースブロックは、最後のＲＢＧが２のＰＲＧサイズのために分離されたＲＢを含むことになるので、含まれないことがある。参照番号８４０によって示されるように、例８００においてＰＤＳＣＨがインデックス２１にマッピングされるとき、ワイヤレス通信デバイスは、基準信号タイプがＤＭＲＳタイプであるときに、帯域幅のインデックス２２及びインデックス２３における２つの追加のリソースブロックがリソース割り振りに含まれると決定し得る。２つの追加のリソースブロックは、ＤＭＲＳに対応する２のＰＲＧサイズに少なくとも部分的に基づいて含まれ得、２つの追加のリソースブロックがリソース割り振りに含まれることを可能にする。それ故に、５ＭＨｚ通信システムでは、（インデックス０及びインデックス１のリソースブロックが使用されるかどうかに応じて）開始点がインデックス２であるとき、帯域幅は、ＤＭＲＳを使用して少なくとも８％だけ増大することができる。
【００７７】
[0085]上記に示されたように、図８Ａ及び８Ｂは、例として提供される。他の例は、図８Ａ及び８Ｂに関して説明されたものとは異なり得る。
【００７８】
[0086]図９は、本開示の様々な態様による、短送信時間間隔システムのためのリソース割り振りの例を例示する図である。例９００では、１０ＭＨｚの帯域幅を有するリソース割り振りが、本明細書で説明される例に従って示される。例９００では、リソース割り振りは、０〜４９のインデックス、インデックス０の開始点、６つのブロックの開始点粒度、及び６つのブロックのＲＢＧサイズを有する。それ故に、例９００のパラメータについて、ワイヤレス通信デバイスは、追加のリソースブロックの量が２であると決定し得る。
【００７９】
[0087]参照番号９１０によって示されるように、例９００においてＰＤＳＣＨがインデックス４７にマッピングされるとき、ワイヤレス通信デバイスは、基準信号タイプがＣＲＳタイプであるときに、帯域幅のインデックス４８及びインデックス４９における２つの追加のリソースブロックがリソース割り振りに含まれると決定し得る。参照番号９２０によって示されるように、例９００においてＰＤＳＣＨがインデックス４７にマッピングされるとき、ワイヤレス通信デバイスは、基準信号タイプがＤＭＲＳタイプであるときに、帯域幅のインデックス４８及びインデックス４９における２つの追加のリソースブロックがリソース割り振りに含まれると決定し得る。それ故に、１０ＭＨｚ通信システムでは、帯域幅は、ＣＲＳ又はＤＭＲＳを使用して少なくとも４％だけ増大することができる。
【００８０】
[0088]上記に示されたように、図９は、例として提供される。他の例は、図９に関して説明されたものとは異なり得る。
【００８１】
[0089]図１０は、本開示の様々な態様による、短送信時間間隔システムのためのリソース割り振りの例を例示する図である。例１０００では、１５ＭＨｚの帯域幅を有するリソース割り振りが、本明細書で説明される例に従って示される。例１０００では、リソース割り振りは、０〜７４のインデックス、インデックス０の開始点、４つのブロックの開始点粒度、及び４つのブロックのＲＢＧサイズを有する。それ故に、例１０００のパラメータについて、ワイヤレス通信デバイスは、追加のリソースブロックの量が３であると決定し得る。
【００８２】
[0090]参照番号１０１０によって示されるように、例１０００においてＰＤＳＣＨがインデックス７１にマッピングされるとき、ワイヤレス通信デバイスは、基準信号タイプがＣＲＳタイプであるときに、帯域幅のインデックス７２、インデックス７３、及びインデックス７４における３つの追加のリソースブロックがリソース割り振りに含まれると決定し得る。それ故に、１５ＭＨｚ通信システムでは、帯域幅は、ＣＲＳを使用して少なくとも４％だけ増大することができる。参照番号１０２０によって示されるように、例１０００においてＰＤＳＣＨがインデックス７１にマッピングされるとき、ワイヤレス通信デバイスは、基準信号タイプがＤＭＲＳタイプであるときに、帯域幅のインデックス７２及びインデックス７３における２つの追加のリソースブロックがリソース割り振りに含まれると決定し得る。そのようなケースでは、２つの追加のリソースブロックのみが、ＤＭＲＳに対応する２のＰＲＧサイズに少なくとも部分的に基づいてリソース割り振りに含まれる。しかしながら、１５ＭＨｚ通信システムでは、帯域幅は、ＤＭＲＳを使用して約２．７％だけ増大することができる。
【００８３】
[0091]上記に示されたように、図１０は、例として提供される。他の例は、図１０に関して説明されたものとは異なり得る。
【００８４】
[0092]図１１は、本開示の様々な態様による、短送信時間間隔システムのためのリソース割り振りの例１１００を例示する図である。図１１は、通信システムのある特定の帯域幅（例えば、５ＭＨｚ、１０ＭＨｚ、及び１５ＭＨｚ）についての実例的な結果分析１１１０を含む。実例的な結果分析は、リソース割り振りの追加のブロックがリソース割り振りに含まれるかどうか（例えば、又はＰＤＳＣＨがリソース割り振りの追加のリソースブロックにマッピングされるかどうか）を決定するために考慮及び／又は分析され得るパラメータを示す。
【００８５】
[0093]図１１に示されるように、実例的なパラメータは、リソース割り振りのリソースブロックの数、リソース割り振りのインデックス範囲、リソース割り振りのＲＢＧサイズ、ＲＢＧサイズの開始点粒度、ＤＭＲＳ ＰＲＧサイズ、最後のＲＢＧの最後のリソースブロックの決定されたインデックス値、及び追加のリソースブロックの決定された数を含むことができる。示されるように、ワイヤレス通信デバイスは、（例えば、ＲＳタイプ及び追加のリソースブロックの量に少なくとも部分的に基づいて）追加のリソースブロックがリソース割り振りに含まれるべきかどうか、及び含まれるべきである場合には、いくつの追加のリソースブロックが含まれるべきかを決定し得る。
【００８６】
[0094]上記に示されたように、図１１は、例として提供される。他の例は、図１１に関して説明されたものとは異なり得る。
【００８７】
[0095]図１２は、本開示の様々な態様による、例えば、ワイヤレス通信デバイスによって実行される実例的なプロセス１２００を例示する図である。実例的なプロセス１２００は、ワイヤレス通信デバイス（例えば、ＢＳ１１０、ＵＥ１２０、及び／又は同様のもの）が短送信時間間隔システムのためのリソース割り振り決定を実行する例である。
【００８８】
[0096]図１２に示されるように、いくつかの態様では、プロセス１２００は、物理ダウンリンク共有チャネル（ＰＤＳＣＨ）のためのリソース割り振りの最後のリソースブロックが最後の割り振り可能なリソースブロックグループ（ＲＢＧ）中にあることを識別することを含み得る（ブロック１２１０）。例えば、（例えば、送信プロセッサ２２０、受信プロセッサ２３８、コントローラ／プロセッサ２４０、受信プロセッサ２５８、送信プロセッサ２６４、コントローラ／プロセッサ２８０、及び／又は同様のものを使用する）ワイヤレス通信デバイスは、ＰＤＳＣＨのためのリソース割り振りの最後のリソースブロックを識別し得る。いくつかの態様では、ワイヤレス通信デバイスは、ワイヤレス通信デバイスが、１つ又は複数の追加のリソースブロックがＰＤＳＣＨのためのリソース割り振りに含まれるかどうかを決定することを可能にするために、最後のリソースブロックを識別し得る。
【００８９】
[0097]図１２に示されるように、いくつかの態様では、プロセス１２００は、ＰＤＳＣＨに関連付けられた基準信号タイプ、１つ又は複数の追加のリソースブロックの量、又はリソース割り振りのＤＣＩフォーマットのうちの少なくとも１つに少なくとも部分的に基づいて、最後のリソースブロックに後続する１つ又は複数の追加のリソースブロックがＰＤＳＣＨのためのリソース割り振りに含まれるかどうかを決定することを含み得る（ブロック１２２０）。例えば、（例えば、送信プロセッサ２２０、受信プロセッサ２３８、コントローラ／プロセッサ２４０、受信プロセッサ２５８、送信プロセッサ２６４、コントローラ／プロセッサ２８０、及び／又は同様のものを使用する）ワイヤレス通信デバイスは、１つ又は複数の追加のリソースブロックがリソース割り振りに含まれるかどうかを決定し得る。いくつかの態様では、ワイヤレス通信デバイスは、リソース割り振りの最後のブロックを識別することに少なくとも部分的に基づいて、１つ又は複数の追加のリソースブロックがリソース割り振りに含まれるかどうかを決定し得る。
【００９０】
[0098]プロセス１２００は、以下に説明される態様のうちの任意の単一の態様及び／又は任意の組み合わせなど、及び／又は本明細書の他の箇所で説明される１つ又は複数の他のプロセスに関連して、追加の態様を含み得る。
【００９１】
[0099]いくつかの態様では、ワイヤレス通信デバイスは、ワイヤレス通信デバイスに関連付けられた通信システムの帯域幅に少なくとも部分的に基づいて、１つ又は複数の追加のリソースブロックの量が、１つの追加のリソースブロック、２つの追加のリソースブロック、又は３つの追加のリソースブロックを備えるかを決定するように構成される。いくつかの態様では、ワイヤレス通信デバイスは、最後のリソースブロックに後続する１つ又は複数の追加のリソースブロックがＰＤＳＣＨのためのリソース割り振りに含まれるかどうかを決定するとき、１つ又は複数の追加のリソースブロックの量がリソース割り振りの帯域幅に対応するＲＢＧのサイズ未満であるかどうかを決定するように構成される。
【００９２】
[00100]いくつかの態様では、ワイヤレス通信デバイスは、最後のリソースブロックに後続する１つ又は複数の追加のリソースブロックがＰＤＳＣＨのためのリソース割り振りに含まれるかどうかを決定するとき、１つ又は複数の追加のリソースブロックの量がプリコーディングリソースブロックグループ（ＰＲＧ）サイズによって割り切れるか、又はＰＲＧサイズより大きいかを決定するように構成される。
【００９３】
[00101]いくつかの態様では、ＰＤＳＣＨに関連付けられた基準信号タイプが、セル固有基準信号（ＣＲＳ）タイプであるとき、ワイヤレス通信デバイスは、１つ又は複数の追加のリソースブロックがリソース割り振りに含まれると決定するように構成される。
【００９４】
[00102]いくつかの態様では、ＰＤＳＣＨに関連付けられた基準信号タイプが復調基準信号（ＤＭＲＳ）タイプであるとき、ワイヤレス通信デバイスは、最後のリソースブロックのインデックスと、ワイヤレス通信デバイスの通信システムに関連付けられた帯域幅とがリソース割り振りに利用可能な少なくとも２つの追加のリソースブロックがあることを示すときに、１つ又は複数の追加のリソースブロックのうちの少なくとも２つがリソース割り振りに含まれると決定するように構成される。
【００９５】
[00103]いくつかの態様では、最後の割り振り可能なＲＢＧの最後のリソースブロックのインデックスは、リソース割り振りに関連付けられたリソースブロックグループ（ＲＢＧ）サイズとリソース割り振りの開始点とに少なくとも部分的に基づき、ＲＢＧサイズ及びリソース割り振りの開始点は、ワイヤレス通信デバイスの通信システムに関連付けられた帯域幅に少なくとも部分的に基づく。
【００９６】
[00104]いくつかの態様では、ワイヤレス通信デバイスに関連付けられた通信システムの帯域幅が５ＭＨｚであるか、又はリソースブロックの数で表されたダウンリンク帯域幅構成が２０〜２６の範囲のインデックス値を有し、且つＰＤＳＣＨが帯域幅のインデックス２３におけるリソースブロックにマッピングされることをリソース割り振りが示すとき、ワイヤレス通信デバイスは、基準信号タイプがセル固有基準信号（ＣＲＳ）タイプであるときに、帯域幅のインデックス２４におけるリソースブロックがリソース割り振りに含まれると決定するように構成される。
【００９７】
[00105]いくつかの態様では、ワイヤレス通信デバイスに関連付けられた通信システムの帯域幅が５ＭＨｚであるか、又はリソースブロックの数で表されたダウンリンク帯域幅構成が２０〜２６の範囲のインデックス値を有し、且つＰＤＳＣＨが帯域幅のインデックス２３におけるリソースブロックにマッピングされることをリソース割り振りが示すとき、ワイヤレス通信デバイスは、基準信号タイプがセル固有基準信号（ＣＲＳ）タイプでないときに、帯域幅のインデックス２４におけるリソースブロックがリソース割り振りに含まれないと決定するように構成される。
【００９８】
[00106]いくつかの態様では、ワイヤレス通信デバイスに関連付けられた通信システムの帯域幅が５ＭＨｚであるか、又はリソースブロックの数で表されたダウンリンク帯域幅構成が２０〜２６の範囲のインデックス値を有し、且つＰＤＳＣＨが帯域幅のインデックス２１におけるリソースブロックにマッピングされることをリソース割り振りが示すとき、ワイヤレス通信デバイスは、基準信号タイプがセル固有基準信号（ＣＲＳ）タイプであるときに、帯域幅のインデックス２２、インデックス２３、及びインデックス２４におけるリソースブロックがリソース割り振りに含まれると決定するように構成される。
【００９９】
[00107]いくつかの態様では、ワイヤレス通信デバイスに関連付けられた通信システムの帯域幅が５ＭＨｚであるか、又はリソースブロックの数で表されたダウンリンク帯域幅構成が２０〜２６の範囲のインデックス値を有し、且つＰＤＳＣＨが帯域幅のインデックス２１におけるリソースブロックにマッピングされることをリソース割り振りが示すとき、ワイヤレス通信デバイスは、基準信号タイプが復調基準信号（ＤＭＲＳ）タイプであるときに、帯域幅のインデックス２２及びインデックス２３におけるリソースブロックがリソース割り振りに含まれると決定するように構成される。
【０１００】
[00108]いくつかの態様では、ワイヤレス通信デバイスに関連付けられた通信システムの帯域幅が１０ＭＨｚであるか、又はリソースブロックの数で表されたダウンリンク帯域幅構成が２７〜６３の範囲のインデックス値を有し、且つＰＤＳＣＨが帯域幅のインデックス４７におけるリソースブロックにマッピングされることをリソース割り振りが示すとき、ワイヤレス通信デバイスは、基準信号タイプがセル固有基準信号（ＣＲＳ）タイプ又は復調基準信号（ＤＭＲＳ）タイプであるときに、帯域幅のインデックス４８及びインデックス４９におけるリソースブロックがリソース割り振りに含まれると決定するように構成される。
【０１０１】
[00109]いくつかの態様では、ワイヤレス通信デバイスに関連付けられた通信システムの帯域幅が１５ＭＨｚであるか、又はリソースブロックの数で表されたダウンリンク帯域幅構成が６４〜７５の範囲のインデックス値を有し、且つＰＤＳＣＨが帯域幅のインデックス７１におけるリソースブロックにマッピングされることをリソース割り振りが示すとき、ワイヤレス通信デバイスは、基準信号タイプがセル固有基準信号（ＣＲＳ）タイプであるときに、帯域幅のインデックス７２、インデックス７３、及びインデックス７４におけるリソースブロックがリソース割り振りに含まれると決定するように構成される。
【０１０２】
[00110]いくつかの態様では、ワイヤレス通信デバイスに関連付けられた通信システムの帯域幅が１５ＭＨｚであるか、又はリソースブロックの数で表されたダウンリンク帯域幅構成が６４〜７５の範囲のインデックス値を有し、且つＰＤＳＣＨが帯域幅のインデックス７１におけるリソースブロックにマッピングされることをリソース割り振りが示すとき、ワイヤレス通信デバイスは、基準信号タイプが復調基準信号（ＤＭＲＳ）タイプであるときに、帯域幅のインデックス７２及びインデックス７３におけるリソースブロックがリソース割り振りに含まれると決定するように構成される。
【０１０３】
[00111]いくつかの態様では、ワイヤレス通信デバイスは、ユーザ機器を備える。いくつかの態様では、ワイヤレス通信デバイスは、基地局（ＢＳ）を備える。いくつかの態様では、１つ又は複数の追加のリソースブロックは、リソース割り振りの最後のＲＢＧ中に含まれる。
【０１０４】
[00112]いくつかの態様では、ワイヤレス通信デバイスは、ＰＤＳＣＨに関連付けられた基準信号タイプ、１つ又は複数の追加のリソースブロックの量、又はリソース割り振りのＤＣＩフォーマットのうちの少なくとも１つに少なくとも部分的に基づいて、最後のリソースブロックに後続する１つ又は複数の追加のリソースブロックがＰＤＳＣＨのためのリソース割り振りに含まれるかどうかを決定するとき、１つ又は複数の追加のリソースブロックの量がリソースブロックの数で表されたプリコーディングリソースブロックグループ（ＰＲＧ）のサイズの整数倍であると決定するように構成される（例えば、偶数）。
【０１０５】
[00113]いくつかの態様では、ワイヤレス通信デバイスは、１つ又は複数の追加のリソースブロックがＰＤＳＣＨのためのリソース割り振りに含まれると決定するように構成される。
【０１０６】
[00114]いくつかの態様では、ワイヤレス通信デバイスは、ＰＤＳＣＨに関連付けられた基準信号タイプ、１つ又は複数の追加のリソースブロックの量、又はリソース割り振りのＤＣＩフォーマットのうちの少なくとも１つに少なくとも部分的に基づいて、最後のリソースブロックに後続する１つ又は複数の追加のリソースブロックがＰＤＳＣＨのためのリソース割り振りに含まれるかどうかを決定するとき、１つ又は複数の追加のリソースブロックの量がリソースブロックの数で表されたＰＲＧのサイズの非整数倍であり、ＰＲＧサイズより大きいと決定するように構成されることを含む（例えば、ＰＲＧサイズが２である場合には２より大きい奇数）。
【０１０７】
[00115]いくつかの態様では、ワイヤレス通信デバイスは、ＰＤＳＣＨに関連付けられた基準信号タイプ、１つ又は複数の追加のリソースブロックの量、又はリソース割り振りのＤＣＩフォーマットのうちの少なくとも１つに少なくとも部分的に基づいて、最後のリソースブロックに後続する１つ又は複数の追加のリソースブロックがＰＤＳＣＨのためのリソース割り振りに含まれるかどうかを決定するとき、基準信号タイプがセル固有基準信号（ＣＲＳ）タイプであると決定するように構成される。いくつかの態様では、ワイヤレス通信デバイスは、１つ又は複数の追加のリソースブロックがＰＤＳＣＨのためのリソース割り振りに含まれると決定するように構成される。
【０１０８】
[00116]いくつかの態様では、ワイヤレス通信デバイスは、ＰＤＳＣＨに関連付けられた基準信号タイプ、１つ又は複数の追加のリソースブロックの量、又はリソース割り振りのＤＣＩフォーマットのうちの少なくとも１つに少なくとも部分的に基づいて、最後のリソースブロックに後続する１つ又は複数の追加のリソースブロックがＰＤＳＣＨのためのリソース割り振りに含まれるかどうかを決定するとき、基準信号タイプが復調基準信号（ＤＭＲＳ）タイプであると決定するように構成される。いくつかの態様では、ワイヤレス通信デバイスは、１つ又は複数の追加のリソースブロックのうちのいくつがＰＤＳＣＨのためのリソース割り振りに含まれるかを更に決定し得る。例えば、ワイヤレス通信デバイスは、１つ又は複数の追加のリソースブロックのうちのいくつがＰＤＳＣＨのためのリソース割り振りに含まれるかを決定するために、１つ又は複数のモジュロ演算（modulo operations）を実行するように構成され得る。例えば、ワイヤレス通信デバイスは、（例えば、開始点インデックスが０であると仮定して、１つ又は複数の追加のリソースブロックの数を決定するために）ダウンリンク帯域幅構成モジュロリソースブロックグループ（ＲＢＧ）サイズ(a downlink bandwidth configuration modulo resource block group (RBG) size)を決定し得る。態様では、ダウンリンク帯域幅構成は、
【数１】
2021514149.tif 000003
の倍数で表された
【数２】
2021514149.tif 000004
であり得、ここで
【数３】
2021514149.tif 000005
は、サブキャリアの数として表された周波数ドメイン中のリソースブロックサイズである。そのような演算に基づいて、ワイヤレス通信デバイスは、最後のリソースブロックに後続する１つ又は複数の追加のリソースブロックがＰＤＳＣＨのためのリソース割り振りに含まれるかどうかを決定し得る。ＸモジュロＰＲＧサイズ(X modulo PRG size)の結果がＹであると仮定すると、ワイヤレス通信デバイスは、Ｙに基づいて、最後のリソースブロックに後続する１つ又は複数の追加のリソースブロックがＰＤＳＣＨのためのリソース割り振りに含まれるかどうかを決定し得る。例えば、態様では、最後のＹ個のリソースブロックを除く全てが、（例えば、基準信号タイプがＤＭＲＳタイプであるとき）ＰＤＳＣＨのためのリソース割り振りに含まれる。ここで、Ｘが、システム帯域幅及びＲＢＧ中のＲＢの数のモジュロを取った後の残りのＲＢの数であると仮定する。その後、ＤＭＲＳベースのＰＤＳＣＨの場合、別のモジュロ演算が、Ｘ ｍｏｄ ＰＲＧサイズ（＝２）として実行されることができる。
【０１０９】
[00117]いくつかの態様では、ワイヤレス通信デバイスは、１つ又は複数の追加のリソースブロックのうちの、リソースブロックで表されたＰＲＢのサイズ未満の最後の数のリソースブロックを除く全て（例えば、ＰＲＧサイズが２であるときには、３つの追加のリソースブロックのうちの最後の１つを除く全て）がＰＤＳＣＨのためのリソース割り振りに含まれると決定するように構成される。そのような例証的な態様では、ＰＲＢサイズは、４又は６であり得、ＰＲＧサイズは、２であり得、ワイヤレス通信デバイスは、追加のリソースブロックの数モジュロＰＲＧサイズ(the number of additional resource blocks modulo PRG size) を決定し得る。
【０１１０】
[00118]いくつかの態様では、ワイヤレス通信デバイスは、ＰＤＳＣＨに関連付けられた基準信号タイプ、１つ又は複数の追加のリソースブロックの量、リソース割り振りのＤＣＩフォーマット、システム帯域幅、又はＰＲＧサイズのうちの少なくとも１つに少なくとも部分的に基づいて、最後のリソースブロックに後続する１つ又は複数の追加のリソースブロックがＰＤＳＣＨのためのリソース割り振りに含まれるかどうかを決定するとき、１つ又は複数の追加のリソースブロックの量がリソースブロックの数で表されたＰＲＧのサイズの非整数倍であり、ＰＲＧサイズ未満であると決定するように構成される（例えば、ＰＲＧサイズが２である場合には２未満である奇数）。
【０１１１】
[00119]いくつかの態様では、ワイヤレス通信デバイスは、ＰＤＳＣＨに関連付けられた基準信号タイプ、１つ又は複数の追加のリソースブロックの量、又はリソース割り振りのＤＣＩフォーマットのうちの少なくとも１つに少なくとも部分的に基づいて、最後のリソースブロックに後続する１つ又は複数の追加のリソースブロックがＰＤＳＣＨのためのリソース割り振りに含まれるかどうかを決定するとき、基準信号タイプがセル固有基準信号（ＣＲＳ）タイプであると決定するように構成される。いくつかの態様では、ワイヤレス通信デバイスは、１つ又は複数の追加のリソースブロックがＰＤＳＣＨのためのリソース割り振りに含まれると決定するように構成される。
【０１１２】
[00120]いくつかの態様では、ワイヤレス通信デバイスは、ＰＤＳＣＨに関連付けられた基準信号タイプ、１つ又は複数の追加のリソースブロックの量、又はリソース割り振りのＤＣＩフォーマットのうちの少なくとも１つに少なくとも部分的に基づいて、最後のリソースブロックに後続する１つ又は複数の追加のリソースブロックがＰＤＳＣＨのためのリソース割り振りに含まれるかどうかを決定するとき、基準信号タイプが復調基準信号（ＤＭＲＳ）タイプであると決定するように構成される。いくつかの態様では、ワイヤレス通信デバイスは、１つ又は複数の追加のリソースブロックがＰＤＳＣＨのためのリソース割り振りに含まれないと決定するように構成される。
【０１１３】
[00121]いくつかの態様では、ワイヤレス通信デバイスは、ＰＤＳＣＨに関連付けられた基準信号タイプ、１つ又は複数の追加のリソースブロックの量、又はリソース割り振りのＤＣＩフォーマットのうちの少なくとも１つに少なくとも部分的に基づいて、最後のリソースブロックに後続する１つ又は複数の追加のリソースブロックがＰＤＳＣＨのためのリソース割り振りに含まれるかどうかを決定するとき、リソース割り振りを通信するために用いられたダウンリンク制御情報フォーマット（例えば、ＣＲＳ及び／又はＤＭＲＳを表すフォーマット）に少なくとも部分的に基づいて、ＰＤＳＣＨに関連付けられた基準信号タイプを決定するように構成される。
【０１１４】
[00122]図１２は、プロセス１２００の実例的なブロックを示すが、いくつかの態様では、プロセス１２００は、図１２に図示されるものと比べて、追加のブロック、より少ないブロック、異なるブロック、又は異なって配置されたブロックを含み得る。加えて又は代替として、プロセス１２００のブロックのうちの２つ以上が並列に実行され得る。
【０１１５】
[00123]前述の開示は、例示及び説明を提供するが、網羅的であること、又は開示された厳密な形態に態様を限定することを意図されない。修正及び変形が、上記の開示に照らして可能であるか、又は態様の実施から取得され得る。
【０１１６】
[00124]本明細書で使用される場合、コンポーネントという用語は、ハードウェア、ファームウェア、又はハードウェアとソフトウェアとの組み合わせとして広く解釈されることを意図される。本明細書で使用される場合、プロセッサは、ハードウェア、ファームウェア、又はハードウェアとソフトウェアとの組み合わせでインプリメントされる。
【０１１７】
[00125]いくつかの態様が閾値に関連して本明細書で説明される。本明細書で使用される場合、閾値を満たすことは、閾値より大きい、閾値以上である、閾値未満である、閾値以下である、閾値に等しい、閾値に等しくない、及び／又は同様のものの値を指し得る。
【０１１８】
[00126]本明細書で説明されたシステム及び／又は方法が、ハードウェア、ファームウェア、又はハードウェアとソフトウェアとの組み合わせの異なる形態でインプリメントされ得ることは明らかであろう。これらのシステム及び／又は方法をインプリメントするために使用される実際の専用制御ハードウェア又はソフトウェアコードは、態様を限定しない。このことから、システム及び／又は方法の動作及び挙動は、特定のソフトウェアコードを参照することなく本明細書で説明されたが、ソフトウェア及びハードウェアは、本明細書の説明に少なくとも部分的に基づいてシステム及び／又は方法をインプリメントするように設計されることができることが理解される。
【０１１９】
[00127]特徴の特定の組み合わせが特許請求の範囲に記載及び／又は本明細書に開示されているが、これらの組み合わせは、可能な態様の開示を限定することを意図されない。実際、これらの特徴の多くは、特許請求の範囲に具体的に記載されていない及び／又は本明細書に開示されていない方法で組み合わされ得る。以下にリストされる各従属請求項は、１つの請求項のみに直接従属し得るが、可能な態様の開示は、各従属請求項を、請求項セット中の全ての他の請求項と組み合わせて含む。項目のリスト「のうちの少なくとも１つ」を指すフレーズは、単一のメンバを含む、それらの項目のうちの任意の組み合わせを指す。例として、「ａ、ｂ、又はｃのうちの少なくとも１つ」は、ａ、ｂ、ｃ、ａ−ｂ、ａ−ｃ、ｂ−ｃ、及びａ−ｂ−ｃ、並びに複数の同じ要素を有する任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、及びｃ−ｃ−ｃ、又はａ、ｂ、及びｃの任意の他の順序）をカバーすることを意図される。
【０１２０】
[00128]本明細書で使用される要素、動作、又は命令は、そのように明示的に説明されない限り、重要又は不可欠であると解釈されるべきではない。また、本明細書で使用される場合、冠詞「ａ」及び「ａｎ」は、１つ又は複数の項目を含むことを意図され、「１つ又は複数」と交換可能に使用され得る。更に、本明細書で使用される場合、「セット」及び「グループ」という用語は、１つ又は複数の項目（例えば、関連項目、非関連項目、関連項目と非関連項目との組み合わせ、及び／又は同様のもの）を含むことを意図され、「１つ又は複数」と交換可能に使用され得る。１つの項目のみが意図される場合、「１つ」という用語又は同様の文言が使用される。また、本明細書で使用される場合、「有する（has）」、「有する（have）」、「有する（having）」という用語、及び／又は同様のものは、オープンエンドの用語であることを意図される。更に、「少なくとも部分的に基づいて」というフレーズは、別途明示的に記載されない限り、「に少なくとも部分的に基づいて」を意味することを意図される。
【図１】
2021514149.tif 000006
【図２】
2021514149.tif 000007
【図３Ａ】
2021514149.tif 000008
【図３Ｂ】
2021514149.tif 000009
【図４】
2021514149.tif 000010
【図５】
2021514149.tif 000011
【図６】
2021514149.tif 000012
【図７】
2021514149.tif 000013
【図８Ａ】
2021514149.tif 000014
【図８Ｂ】
2021514149.tif 000015
【図９】
2021514149.tif 000016
【図１０】
2021514149.tif 000017
【図１１】
2021514149.tif 000018
【図１２】
2021514149.tif 000019
【国際調査報告】
2021514149.tif 000020
2021514149.tif 000021
2021514149.tif 000022